(57)【要約】  【解決手段】  ＣＴスキャナー１、放射線照射装置２、ＣＴスキャナー１と放射線照射装置２とに使用される共通寝台３、被照射者をＣＴスキャナー１から放射線照射装置２の所定位置に配置させる移動手段を備え、該移動手段が、共通寝台３に載った被照射者を所定位置に配設できるように、ＣＴスキャナー１、放射線照射装置２又は共通寝台３の直線運動又は曲線運動を１種以上生じさせるものである放射線治療用複合装置Ａ１。  【効果】  悪性腫瘍などを放射線治療する際に、ＣＴスキャナーによる正確な位置合わせをした状態を維持したままで、放射線照射を行うことが可能となり、放射線治療における治療位置の精度管理を格段に向上させて、治療成績を向上させることができる。【選択図】    図１
2004255160.tif 000002
【特許請求の範囲】
【請求項１】
被照射者の患部の位置を確認するＣＴスキャナーと、該ＣＴスキャナーによって確認した上記患部の位置情報に従って上記被照射者を上記患部が照射位置に合うように所定位置に配置させて放射線照射を行う放射線照射装置と、上記被照射者を載せて上記ＣＴスキャナーと上記放射線照射装置とに使用される共通寝台と、上記被照射者を上記ＣＴスキャナーから上記放射線照射装置の上記所定位置に配置させる移動手段と、を備え、該移動手段が、上記共通寝台に載った上記被照射者を上記所定位置に配設できるように、上記ＣＴスキャナー、上記放射線照射装置又は上記共通寝台の直線運動又は曲線運動の１種又は２種以上の運動を生じさせるものであることを特徴とする放射線治療用複合装置。
【請求項２】
上記移動手段が、上記ＣＴスキャナーの直線運動と上記放射線照射装置の直線運動、上記ＣＴスキャナーの直線運動と上記放射線照射装置の曲線運動、上記ＣＴスキャナーと上記放射線照射装置の曲線運動及び上記ＣＴスキャナーの直線運動、上記ＣＴスキャナーの直線運動と上記共通寝台の直線運動、又は上記ＣＴスキャナーの直線運動と上記共通寝台の曲線運動のいずれかを生じさせるものである請求項１記載の放射線治療用複合装置。
【請求項３】
上記移動手段が上記ＣＴスキャナーを直線運動させると共に、上記放射線照射装置を直線運動させる移動機構を備えたものであり、該移動機構として、上記ＣＴスキャナーと上記放射線照射装置とが、それぞれ直線移動機構を備え、これらの移動方向が互いに交差する形で配設されると共に、上記共通寝台がこれらの移動可能な位置の近傍に配設された請求項１又は２記載の放射線治療用複合装置。
【請求項４】
上記ＣＴスキャナーが、更に上記放射線照射装置の移動方向と同方向に移動する直線移動機構を備えた請求項３記載の放射線治療用複合装置。
【請求項５】
上記移動手段が上記ＣＴスキャナーを直線運動させると共に、上記放射線照射装置を曲線運動させる移動機構を備えたものであり、該移動機構として、上記ＣＴスキャナーが上記共通寝台に対して前後方向に移動可能な直線移動機構を備えると共に、上記放射線照射装置が上記共通寝台の周りを円周方向に移動可能な曲線移動機構を備えた請求項１又は２記載の放射線治療用複合装置。
【請求項６】
上記移動手段が上記ＣＴスキャナー及び上記放射線照射装置を曲線運動させると共に、上記ＣＴスキャナーを直線運動させる移動機構を備えたものであり、該移動機構として、上記ＣＴスキャナー及び上記放射線照射装置が上記共通寝台の周りを円周方向に移動可能な曲線移動機構を備えると共に、上記ＣＴスキャナーが更に、上記共通寝台が上記ＣＴスキャナーの前に位置したときに上記共通寝台に対して前後方向に移動可能な直線移動機構を備えた請求項１又は２記載の放射線治療用複合装置。
【請求項７】
上記移動手段が上記ＣＴスキャナーを直線運動させると共に、上記共通寝台を直線運動させる移動機構を備えたものであり、該移動機構として、上記ＣＴスキャナーと上記共通寝台とが移動方向が互いに交差する直線移動機構をそれぞれ備え、上記ＣＴスキャナーと上記放射線照射装置とが横並びに配設されると共に、上記共通寝台がこれらの間を直線移動可能となるように配設された請求項１又は２記載の放射線治療用複合装置。
【請求項８】
上記移動手段が上記ＣＴスキャナーを直線運動させると共に、上記共通寝台を曲線運動させる移動機構を備えたものであり、該移動機構として、上記共通寝台が曲線移動機構を備えると共に、上記ＣＴスキャナーと上記放射線照射装置とが上記共通寝台が移動可能な曲線の近傍に配設され、上記共通寝台が上記ＣＴスキャナーの前に位置したときに上記ＣＴスキャナーが上記共通寝台に対して前後方向に移動可能な直線移動機構を備えた請求項１又は２記載の放射線治療用複合装置。
【請求項９】
上記共通寝台がアイソセントリック回転機構を備えた請求項１乃至８のいずれか１項記載の放射線治療用複合装置。
【請求項１０】
上記移動手段が、上記共通寝台の直線運動、又は上記ＣＴスキャナーの直線運動と上記放射線照射装置の直線運動と上記共通寝台の直線運動を生じさせるものである請求項１記載の放射線治療用複合装置。
【請求項１１】
上記移動手段が上記共通寝台を直線運動させる移動機構を備えたものであり、該移動機構として、上記ＣＴスキャナーに設けられた第一寝台と、上記放射線照射装置に設けられた第二寝台と、上記共通寝台を直線的に移動させる移動部材とを備え、上記共通寝台が、直列するように配設された上記第一寝台と上記第二寝台との少なくとも一方の上面に載置され、上記移動部材によって上記第一寝台の上面と上記第二寝台の上面との間で直線的に移動する請求項１又は請求項１０記載の放射線治療用複合装置。
【請求項１２】
上記移動手段が上記ＣＴスキャナー、上記放射線照射装置及び上記共通寝台を直線運動させる移動機構を備えたものであり、該移動機構として、上記ＣＴスキャナーと上記放射線照射装置とが、それぞれ直線移動機構を備え、これらの移動方向が互いに交差する形で配設されると共に、上記ＣＴスキャナーに設けられた第一寝台と、上記放射線照射装置に使用される第二寝台と、上記共通寝台を直線的に移動させる移動部材とを備え、上記共通寝台が、直列するように配設された上記第一寝台と上記第二寝台との少なくとも一方の上面に載置され、上記移動部材によって上記第一寝台の上面と上記第二寝台の上面との間で直線的に移動する請求項１又は１０記載の放射線治療用複合装置。
【請求項１３】
更に、Ｘ線シミュレーターを備え、上記移動手段が上記共通寝台に載った上記被照射者を更に上記Ｘ線シミュレーターの所定位置に配置させる移動機構を含む請求項１乃至１２のいずれか１項記載の放射線治療用複合装置。
【請求項１４】
上記移動手段が、上記ＣＴスキャナーの直線運動と上記放射線照射装置の直線運動と上記Ｘ線シミュレーターの直線運動、上記ＣＴスキャナーの直線運動と上記放射線照射装置の曲線運動と上記Ｘ線シミュレーターの曲線運動、上記ＣＴスキャナーと上記放射線照射装置とＸ線シミュレーターの曲線運動及び上記ＣＴスキャナーの直線運動、上記ＣＴスキャナーの直線運動と上記共通寝台の直線運動、又は上記ＣＴスキャナーの直線運動と上記共通寝台の曲線運動のいずれかを生じさせるものである請求項１３記載の放射線治療用複合装置。
【請求項１５】
上記移動手段が上記ＣＴスキャナーを直線運動させ、上記放射線照射装置を直線運動させると共に、上記Ｘ線シミュレーターを直線運動させる移動機構を備えたものであり、該移動機構として、上記ＣＴスキャナーと上記放射線照射装置と上記Ｘ線シミュレーターが、それぞれ直線移動機構を備え、上記ＣＴスキャナーの移動方向と上記放射線照射装置及び上記Ｘ線シミュレーターの移動方向とが互いに交差する形で配設されると共に、上記共通寝台がこれらの移動可能な位置の近傍に配設された請求項１３又は１４記載の放射線治療用複合装置。
【請求項１６】
上記ＣＴスキャナーが、更に上記放射線照射装置及び上記Ｘ線シミュレーターの移動方向と同方向に移動する直線移動機構を備えた請求項１５記載の放射線治療用複合装置。
【請求項１７】
上記移動手段が上記ＣＴスキャナーを直線運動させ、上記放射線照射装置を曲線運動させると共に、上記Ｘ線シミュレーターを曲線運動させる移動機構を備えたものであり、該移動機構として、上記ＣＴスキャナーが上記共通寝台に対して前後方向に移動可能な直線移動機構を備えると共に、上記放射線照射装置及び上記Ｘ線シミュレーターが上記共通寝台の周りを円周方向に移動可能な曲線移動機構を備えた請求項１３又は１４記載の放射線治療用複合装置。
【請求項１８】
上記移動手段が上記ＣＴスキャナー、上記放射線照射装置及び上記Ｘ線シミュレーターを曲線運動させると共に、上記ＣＴスキャナーを直線運動させる移動機構を備えたものであり、該移動機構として、上記ＣＴスキャナー、上記放射線照射装置及び上記Ｘ線シミュレーターが上記共通寝台の周りを円周方向に移動可能な曲線移動機構を備えると共に、上記ＣＴスキャナーが更に、上記共通寝台が上記ＣＴスキャナーの前に位置したときに上記共通寝台に対して前後方向に移動可能な直線移動機構を備えた請求項１３又は１４記載の放射線治療用複合装置。
【請求項１９】
上記移動手段が上記ＣＴスキャナーを直線運動させると共に、上記共通寝台を直線運動させる移動機構を備えたものであり、該移動機構として、上記ＣＴスキャナーと上記共通寝台とが移動方向が互いに交差する直線移動機構をそれぞれ備え、上記ＣＴスキャナーと上記放射線照射装置と上記Ｘ線シミュレーターとが横並びに配設されると共に、上記共通寝台がこれらの間を直線移動可能となるように配設された請求項１３又は１４記載の放射線治療用複合装置。
【請求項２０】
上記移動手段が上記ＣＴスキャナーを直線運動させると共に、上記共通寝台を曲線運動させる移動機構を備えたものであり、該移動機構として、上記共通寝台が曲線移動機構を備えると共に、上記ＣＴスキャナーと上記放射線照射装置と上記Ｘ線シミュレーターとが上記共通寝台が移動可能な曲線の近傍に配設され、上記共通通寝台が上記ＣＴスキャナーの前に位置したときに上記ＣＴスキャナーが上記共通寝台に対して前後方向に移動可能な直線移動機構を備えた請求項１３又は１４記載の放射線治療用複合装置。
【請求項２１】
上記共通寝台の曲線移動機構として、上記共通寝台を載置するターンテーブルを床面に備えた請求項８又は２０記載の放射線治療用複合装置。
【請求項２２】
上記移動手段が上記共通寝台を直線運動させる移動機構を備えたものであり、該移動機構として、上記ＣＴスキャナーに設けられた第一寝台と、上記放射線照射装置に設けられた第二寝台と、上記Ｘ線シミュレーターに設けられた第三寝台と、上記共通寝台を直線的に移動させる移動部材とを備え、上記共通寝台が、直列するように配設された上記第三寝台と上記第一寝台と上記第二寝台とのいずれかの上面に載置され、上記移動部材によって上記第三寝台の上面と上記第一寝台の上面と上記第二寝台の上面との間で直線的に移動する請求項１３記載の放射線治療用複合装置。
【請求項２３】
上記移動手段が、上記共通寝台、上記ＣＴスキャナー、上記放射線照射装置及びＸ線シミュレーターを直進運動させる移動機構を備えたものであり、上記移動機構として、上記ＣＴスキャナーと上記放射線照射装置と上記Ｘ線シミュレーターとが、それぞれ直線移動機構を備え、上記ＣＴスキャナーの移動方向と上記放射線照射装置及び上記Ｘ線シミュレーターの移動方向とが互いに交差する形で配設され、更に、上記ＣＴスキャナーに設けられた第一寝台と、上記放射線照射装置及び上記Ｘ線シミュレーターに使用される第二寝台と、上記共通寝台を直線的に移動させる移動部材とを備え、上記共通寝台が、直列するように配設された上記第一寝台と上記第二寝台とのいずれかの上面に載置され、上記移動部材によって上記第一寝台の上面と上記第二寝台の上面との間で直線的に移動する請求項１３記載の放射線治療用複合装置。
【請求項２４】
上記移動部材として、ローラー、車輪、移動用レールと該移動用レールに対応する摺動部との組み合わせ、及びコンベアから選択される部材を備えた請求項１１、１２、２２又は２３記載の放射線治療用複合装置。
【請求項２５】
上記ＣＴスキャナーの検出可能領域の直径が１．５〜３ｍである請求項１乃至２４のいずれか１項記載の放射線治療用複合装置。
【請求項２６】
上記ＣＴスキャナーが、その検出可能領域において上記被照射者の横方向の位置を調整する位置調整手段を備えた請求項２５記載の放射線治療用複合装置。
【発明の詳細な説明】
【技術分野】
【０００１】
本発明は、悪性腫瘍等の放射線治療において、ＣＴスキャナーによって正確に被治療者（被照射者）の放射線が照射されるべき患部（照射患部）の位置合わせを行い、被照射者を患部が放射線照射装置（放射線治療装置）の照射位置に合うように移動させて、放射線照射を行うという一連の放射線治療を実行可能にする放射線治療用複合装置（放射線治療用設備）に関し、より詳細には、被照射者を患部が放射線照射装置の照射位置に合うように移動させる際に、患者を載せてＣＴスキャナーと放射線照射装置と必要に応じてＸ線シミュレーターとに使用される共通寝台を備え、この共通寝台を回転運動させることなく被照射者をＣＴスキャナー、放射線照射装置、必要に応じてＸ線シミュレーターの所定位置に配置させることができる移動手段を備えることによって、位置合わせから放射線照射までに生じる位置の誤差の発生を抑制することができ、放射線治療における治療位置の精度管理に大きく貢献する放射線治療用複合装置に関する。更に、上記共通寝台がアイソセンター位置（被照射者の標的部位に異なる角度から放射線を照射するときの照射中心となる位置）を中心としたアイソセントリック回転機能（機構）を有するものであれば、放射線治療時のみならず、ＣＴスキャナー、Ｘ線シミュレーター等による検査時おいてもその機能を利用することが可能となる放射線治療用複合装置に関する。
【背景技術】
【０００２】
悪性腫瘍などに対する放射線治療においては、患者を寝台に寝かせた状態でＣＴスキャナーにより腫瘍部位を探し、正確な位置合わせをした状態でその患部（ターゲット）に対して放射線を照射することが望ましい。しかし、従来は、放射線治療室には、直線加速器（放射線照射装置）などの治療器だけが設置され、位置合わせのためのＣＴスキャナーは別室に設置されるのが、一般的であった。そのため、正確な位置合わせをした状態のままで直ちに患者に放射線照射をすることはできず、位置合わせから照射までの間に、患者の別室への移動という過程が含まれていた。
【０００３】
本発明者は、この患者の移動という過程が、無視できない程大きな位置の誤差を生じさせていると考え、この位置の誤差を省くために、直線加速器（放射線照射装置）とＸ線ＣＴスキャナーとを同室内に設置して共通の寝台で結びつけた一体型の放射線治療用複合装置（放射線治療システム）を構築した（例えば、特許文献１参照）。以来、この新しい一体型の放射線治療用複合装置を用いて様々な悪性腫瘍（ガン）の放射線治療を行い、良好な成績を報告している（例えば、非特許文献１参照）。
【０００４】
【特許文献１】特開平９−１９２２４５号公報
【非特許文献１】植松稔、外９名「癌（ＣＡＮＣＥＲ）」、（米国）、アメリカ癌協会（Ａｍｅｒｉｃａｎ  Ｃａｎｃｅｒ  Ｓｏｃｉｅｔｙ）、１９９８年３月１５日。第８２巻、第６号、ｐ．１０６２−ｐ．１０７０
【０００５】
これまでの一体型の放射線治療用複合装置では、ＣＴスキャナーで正確に位置合わせをした状態で、患部を直線加速器の照射位置に合わせるため、図１８に示す放射線治療用複合装置Ａ１５のように、ＣＴスキャナー１と放射線照射装置２との間の患部の移動を、回転式寝台３０の支柱を回転中心ｒ’とし、回転式寝台３０自体を円方向（図中矢印ｇ）に軸回転運動（１８０度）させることによって行っていた。しかしながら、このような寝台３０の自転による回転運動によって患部を移動させる手段の場合、位置の誤差を生じないように慣れた術者が慎重に操作する必要があり、位置の誤差をより減じさせるように改良する余地があった。また、ＣＴスキャナーにおける座標系と放射線照射装置における座標系の二つが、回転運動だけで構成された本当に合同な座標系同士であると確認するためには、もう一度寝台を１８０度回転させてＣＴスキャナーに合わせ直して再撮影してみる必要があり、精度管理の点についても改良の余地があった。
【０００６】
また、近年、放射線治療においては、図１９に示すように、放射線照射装置に近傍する床面５にターンテーブル２０ｂをその上面が床面の上面と略同一面（略平面）となるように設け、このターンテーブル２０ｂに回転板２０ｄを一体となるようにその端部を取り付け、この回転板２０ｄ上に治療用寝台２０の架台２０ｃを治療用寝台２０がターンテーブル２０ｂの軸中心ｒを回転中心としてアイソセントリック回転可能となるように載置したアイソセントリック回転機構Ｄによって、治療用寝台にアイソセンタ（照射中心）を中心としたアイソセントリック回転機能を持たせたものが利用されているが、この機能をＣＴスキャナーなどの病巣の位置確認、位置合わせを行うための検査装置に利用することは考慮されていなかった。上述した回転式寝台３０の場合も放射線照射装置側の床面に設けられたターンテーブルによって、放射線照射装置に使用される際には、アイソセントリック回転機能を有するが、ＣＴスキャナーに使用する際には、寝台がｒ’を中心とした支柱回転しているためにアイソセントリック回転機能を利用することができなかった。
【０００７】
更に、ＣＴスキャナーにより患部の位置を確認して患部を放射線照射装置の照射位置に合わせる放射線治療システムでは、使用されるＣＴスキャナーが位置合わせの中核をなす装置である。ところで、ＣＴスキャナーによる位置合わせをもっとも精度よく行うには、ＣＴスキャナーにより病巣（患部）をスキャンする際に、ＣＴスキャナーの検出可能範囲（ガントリのトンネル部）の中心に患部の中心が位置するようにすることが望ましい。しかしながら、従来のＣＴスキャナーは、被照射者を載せた寝台を体軸方向に沿って移動させたり、寝台の高さ調節を行うことは可能であったが、横方向（体軸と水平面において直交する方向、即ち、寝台に寝ている被照射者の体の左右方向）での位置調整については考慮されていなかった。
【０００８】
即ち、従来のＣＴスキャナーは、図２０にガントリの部分を模式的に示したＣＴスキャナー１’のように、その検出装置であるガントリ１ｂのトンネル部（検出可能範囲）１ｃ’において、患者Ｂを載せたＣＴ寝台１ａは、図示しない上下動手段によって、トンネル部１ｃ’の上下方向（図中矢印ｉ）の中心（図中一点鎖線ｊ）に患部（病巣）Ｃが位置するように位置調整を行うと共に、ＣＴ寝台１ａが体軸方向に沿って移動可能であるか、ＣＴスキャナー１’そのものが床面に配設された移動レール上を摺動する自走式ＣＴスキャナーとすることによって、患者Ｂの患部（病巣）Ｃを含み、且つ体軸に直交する患者の横断面をスキャンできるように、トンネル部１ｃ’におけるＣＴ寝台１ａの位置調整を行っていた。
【０００９】
しかしながら、従来は、ＣＴスキャナーの検出可能範囲において横方向、即ち、トンネル部において寝台上に横になった患者の体の左右方向の位置調整を行うことは考慮されておらず、ガントリ１ｂのトンネル部１ｃ’の直径が、通常１ｍ程度であり、実質的に横方向には位置調整し難い構成となっていた。そのため、患部Ｃが図面中の想像線（二点鎖線）に示すように、トンネル部１ｃ’の横方向（図中矢印ｆ）の中心（図中一点鎖線ｋ）にある場合は、精度よく患部の位置を確認することができたが、患部Ｃが患者Ｂの体の横の方に存在し、患者Ｂが寝台に載った時に患部Ｃが図中の実線で示すように、トンネル部１ｃ’の横方向（図中矢印ｆ）の中心（図中一点鎖線ｋ）からずれている場合、横方向の位置確認は何かしらのマーキングによって行われるのが現状であった。
【発明の開示】
【発明が解決しようとする課題】
【００１０】
本発明は、上記事情に鑑みなされたもので、共通寝台を回転させなくても位置合わせから照射までの操作過程を直線運動又は曲線運動によって構成することが可能であり、更に、ＣＴスキャナーにより患部をスキャンする際に、ＣＴスキャナーの検出可能範囲の中心に患部の中心を位置させることも可能であり、また、共通寝台がアイソセントリック回転機能を有するものである場合に、この機能を放射線治療時のみならず、ＣＴスキャナーなどの検査装置による位置合わせの時にも利用することが可能な放射線治療用複合装置を提供することを目的とするものである。
【課題を解決するための手段】
【００１１】
本発明は、上記目的を達成するため、被照射者の患部の位置を確認するＣＴスキャナーと、該ＣＴスキャナーによって確認した上記患部の位置情報に従って、上記被照射者を上記患部が照射位置に合うように所定位置に配置させて、放射線照射を行う放射線照射装置と、上記被照射者を載せて上記ＣＴスキャナーと上記放射線照射装置とに使用される共通寝台と、上記被照射者を上記ＣＴスキャナーから上記放射線照射装置の上記所定位置に配置させる移動手段と、を備え、該移動手段が、上記共通寝台に載った上記被照射者を上記所定位置に配設できるように、上記ＣＴスキャナー、上記放射線照射装置又は上記共通寝台の直線運動又は曲線運動の１種又は２種以上の運動を生じさせるものであることを特徴とする放射線治療用複合装置を提供する。
【００１２】
ここで、上記移動手段が、上記ＣＴスキャナーの直線運動と上記放射線照射装置の直線運動、上記ＣＴスキャナーの直線運動と上記放射線照射装置の曲線運動、上記ＣＴスキャナーと上記放射線照射装置の曲線運動及び上記ＣＴスキャナーの直線運動、上記ＣＴスキャナーの直線運動と上記共通寝台の直線運動、又は上記ＣＴスキャナーの直線運動と上記共通寝台の曲線運動のいずれかを生じさせるもの、換言すると、上記ＣＴスキャナーと、上記放射線照射装置とを備えた放射線治療用複合装置であって、上記被照射者を載せて上記ＣＴスキャナーと上記放射線照射装置との間を結びつける共通寝台を備えると共に、上記被照射者を上記ＣＴスキャナーの直線運動及び上記放射線照射装置の直線運動、上記ＣＴスキャナーの直線運動及び上記放射線照射装置の曲線運動、上記ＣＴスキャナーと上記放射線照射装置の曲線運動及び上記ＣＴスキャナーの直線運動、上記ＣＴスキャナーの直線運動及び上記共通寝台の直線運動、又は上記ＣＴスキャナーの直線運動及び上記共通寝台の曲線運動によって、上記ＣＴスキャナーから上記放射線照射装置の上記所定位置に配置させる移動機構（手段）を備えた放射線治療用複合装置であると、より好適である。
【００１３】
そして、上記移動手段が上記ＣＴスキャナーを直線運動させると共に、上記放射線照射装置を直線運動させる移動機構を備えたものであり、該移動機構として、上記ＣＴスキャナーと上記放射線照射装置とが、それぞれ直線移動機構を備え、これらの移動方向が互いに交差する形、好ましくは直交又は実質的に直交する形で配設されると共に、上記共通寝台がこれらの移動可能な位置の近傍に配設されたもの、即ち、上記ＣＴスキャナー及び上記放射線照射装置を直線運動させる移動機構を備えた放射線治療用複合装置が、上記ＣＴスキャナーと上記放射線照射装置とが、それぞれ自走機構（直線移動機構）を備え、これらの自走方向が互いに交差する形、好ましくは直交又は実質的に直交する形で配設されたものであったり、上記ＣＴスキャナーが、更に上記放射線照射装置の移動方向と同方向に移動する直線移動機構を備えたものであると、より好適である。
【００１４】
また、上記移動手段が上記ＣＴスキャナーを直線運動させると共に、上記放射線照射装置を曲線運動させる移動機構を備えたものであり、該移動機構として、上記ＣＴスキャナーが上記共通寝台に対して前後方向に移動可能な直線移動機構を備えると共に、上記放射線照射装置が上記共通寝台の周りを円周方向、例えば上記共通寝台を中心とした円周方向、又は上記共通寝台が上記放射線照射装置の曲線移動可能な円周の中心と上記曲線移動機構による円弧との間に位置するような円周方向に移動可能な曲線移動機構を備えたもの、即ち、上記ＣＴスキャナーを直線運動（直線移動）させる移動機構及び上記放射線照射装置を曲線運動（曲線移動）させる移動機構を備えた放射線治療用複合装置が、上記ＣＴスキャナーが上記共通寝台に対して前後方向に移動可能な自走機構を備えると共に、上記放射線照射装置が上記共通寝台の周りを円周方向、例えば上記共通寝台を中心とした円周方向に移動可能な自走機構を備えたものであったり、上記移動手段が上記ＣＴスキャナー及び上記放射線照射装置を曲線運動させると共に、上記ＣＴスキャナーを直線運動させる移動機構を備えたものであり、該移動機構として、上記ＣＴスキャナー及び上記放射線照射装置が上記共通寝台の周りを円周方向、例えば上記共通寝台を中心とした円周方向、又は上記共通寝台が上記放射線照射装置の曲線移動可能な円周の中心と上記曲線移動機構による円弧との間に位置するような円周方向に移動可能な曲線移動機構を備えると共に、上記ＣＴスキャナーが更に、上記共通寝台が上記ＣＴスキャナーの前に位置したときに上記共通寝台に対して前後方向に移動可能な直線移動機構を備えたものであってもより好適である。
【００１５】
そして更に、上記移動手段が上記ＣＴスキャナーを直線運動させると共に、上記共通寝台を直線運動させる移動機構を備えたものであり、該移動機構として、上記ＣＴスキャナーと上記共通寝台とが移動方向が互いに交差する、好ましくは直交又は実質的に直交する直線移動機構をそれぞれ備え、上記ＣＴスキャナーと上記放射線照射装置とが横並びに配設されると共に、上記共通寝台がこれらの間を直線移動可能となるように配設されたもの、即ち、上記共通寝台及び上記ＣＴスキャナーを直線運動（直線移動）させる移動機構を備えた放射線治療用複合装置が、上記ＣＴスキャナーと上記共通寝台とが自走方向が互いに交差、好ましくは直交又は実質的に直交する自走機構をそれぞれ備え、該ＣＴスキャナーと上記放射線照射装置とが横並びに配設されると共に、上記共通寝台がこれらの間を移動可能となるように配設されたものであっても、より好適である。
【００１６】
そしてまた、上記移動手段が上記ＣＴスキャナーを直線運動させると共に、上記共通寝台を曲線運動させる移動機構を備えたものであり、該移動機構として、上記共通寝台が曲線移動機構を備えると共に、上記ＣＴスキャナーと上記放射線照射装置とが上記共通寝台が移動可能な曲線の近傍に配設され、上記共通寝台が上記ＣＴスキャナーの前に位置したときに上記ＣＴスキャナーが上記共通寝台に対して前後方向に移動可能な直線移動機構を備えたものであっても、より好適である。
【００１７】
ここで、上記共通寝台がアイソセントリック回転機構を備えたものであると、より効果的である。
【００１８】
一方、本発明の放射線治療用複合装置としては、上記移動手段が、上記共通寝台の直線運動、又は上記ＣＴスキャナーの直線運動と上記放射線照射装置の直線運動と上記共通寝台の直線運動を生じさせるものであっても、好適であり、換言すると、上記ＣＴスキャナーと、上記放射線照射装置とを備えた放射線治療用複合装置であって、上記被照射者を載せて上記ＣＴスキャナーと上記放射線照射装置との間を結びつける共通寝台を備えると共に、上記被照射者を上記共通寝台の直線運動又は上記ＣＴスキャナー、上記放射線照射装置及び上記共通寝台の直線運動によって、上記ＣＴスキャナーから上記放射線照射装置の上記所定位置に配置させる移動機構（手段）を備えた放射線治療用複合装置であると、より好適である。例えば、上記移動手段が上記共通寝台を直線運動させる移動機構を備えたものである場合、該移動機構として、上記ＣＴスキャナーに設けられた第一寝台と、上記放射線照射装置に設けられた第二寝台と、上記共通寝台を直線的に移動させる移動部材とを備え、上記共通寝台が、直列するように配設された上記第一寝台と上記第二寝台との少なくとも一方の上面に載置され、上記移動部材によって上記第一寝台の上面と上記第二寝台の上面との間で直線的に移動するもの、即ち、上記共通寝台を直線運動（直線移動）させる移動機構を備えた放射線治療用複合装置が、上記ＣＴスキャナーが第一寝台を備え、上記放射線照射装置が第二寝台を備え、且つ直列するように配設された上記第一寝台と上記第二寝台との少なくとも一方の上面に上記共通寝台が載置されており、該共通寝台を上記第一寝台の上面と上記第二寝台の上面との間で直線移動させる移動機構（より好ましくは、移動部材としてローラー、車輪、移動用レールと該移動用レールに対応する摺動部との組み合わせ又はコンベアを備えた移動機構）を備えたものであったり、上記移動手段が上記ＣＴスキャナー、上記放射線照射装置及び上記共通寝台を直線運動させる移動機構を備えたものである場合、上記ＣＴスキャナーと上記放射線照射装置とが、それぞれ直線移動機構を備え、これらの移動方向が互いに交差する形、好ましくは直交又は実質的に直交する形で配設されると共に、上記ＣＴスキャナーに設けられた第一寝台と、上記放射線照射装置に使用される第二寝台と、上記共通寝台を直線的に移動させる移動部材とを備え、上記共通寝台が、直列するように配設された上記第一寝台と上記第二寝台との少なくとも一方の上面に載置され、上記移動部材によって上記第一寝台の上面と上記第二寝台の上面との間で直線的に移動するものであれば、より好適である。
【００１９】
上記放射線治療用複合装置が、更に、Ｘ線シミュレーターを備え、上記移動手段が上記共通寝台に載った上記被照射者を更に上記Ｘ線シミュレーターの所定位置に配置させる移動機構を備えたもの、例えば上記移動手段が、上記ＣＴスキャナーの直線運動と上記放射線照射装置の直線運動と上記Ｘ線シミュレーターの直線運動、上記ＣＴスキャナーの直線運動と上記放射線照射装置の曲線運動と上記Ｘ線シミュレーターの曲線運動、上記ＣＴスキャナーと上記放射線照射装置と上記Ｘ線シミュレーターの曲線運動及び上記ＣＴスキャナーの直線運動、上記ＣＴスキャナーの直線運動と上記共通寝台の直線運動、又は上記ＣＴスキャナーの直線運動と上記共通寝台の曲線運動のいずれかを生じさせるものであったり、上記共通寝台の直線運動、又は上記共通寝台、上記ＣＴスキャナー、上記放射線照射装置及び上記Ｘ線シミュレーターの直線運動を生じさせるものであると、更に好適である。
【００２０】
ここで、上記移動手段が上記共通寝台の曲線運動を生じさせるものである場合、上記共通寝台の曲線移動機構としては、例えば上記共通寝台を載置するターンテーブルを床面に備えたものなどが好適である。そして、上記共通寝台を直線運動させる移動機構として第一寝台、第二寝台、必要に応じて第三寝台、これらの上面を移動部材によって移動する共通寝台を利用する場合、上記移動部材として、ローラー、車輪、移動用レールと該移動用レールに対応する摺動部との組み合わせ、及びコンベアから選択される部材を備えたものであれば、更に好適である。また、上記ＣＴスキャナーの検出可能領域の直径が１．５〜３ｍであり、より好ましくは上記ＣＴスキャナーが、その検出可能領域において上記被照射者の横方向の位置を調整する位置調整手段を備えたものであれば、更に好適である。
【００２１】
即ち、本発明の放射線治療用複合装置は、例えば、（１）上記移動手段が、上記ＣＴスキャナーの直線運動と上記放射線照射装置の直線運動、上記ＣＴスキャナーの直線運動と上記放射線照射装置の曲線運動、上記ＣＴスキャナーと上記放射線照射装置の曲線運動及び上記ＣＴスキャナーの直線運動、上記ＣＴスキャナーの直線運動と上記共通寝台の直線運動、又は上記ＣＴスキャナーの直線運動と上記共通寝台の曲線運動のいずれかを生じさせるものである複合装置、（２）上記移動手段が、上記共通寝台の直線運動、又は上記ＣＴスキャナーの直線運動と上記放射線照射装置の直線運動と上記共通寝台の直線運動を生じさせるものである複合装置というように、上記被照射者を載せて上記ＣＴスキャナーと上記放射線照射装置との間を結びつける上記共通寝台に載った上記被照射者が上記各装置に対して所定位置となるように上記ＣＴスキャナー、上記放射線照射装置又は上記共通寝台の直線運動又は曲線運動の１種以上の運動を生じさせる移動手段を備えているので、共通寝台を回転させることなく、位置合わせから放射線照射の操作を行うことが可能となり、共通寝台の支柱回転による位置の誤差をなくすことができる。
【００２２】
また、三次元空間内において精密な治療を行う場合には、体内深部の病巣位置を指示するために、レーザー光線などを用いて体表面などにマーキングすることが多い。寝台の自転による回転運動が存在する場合は、前述したように、ＣＴスキャナーにおける座標系と放射線照射装置における座標系の二つが全く合同であると確認することがやや困難であったが、直線運動、曲線運動による移動の場合、ひとつの座標系のなかで移動していると見なすことができる。従って、レーザー光線などによるマーカーの設置やその確認が、非常に単純、且つ容易になる。換言すれば、直線運動、曲線運動であれば、レーザー光線などを用いることで、二つの座標系が一致していることが単純、且つ容易に確認することができ、結果として、病巣位置の精度管理が向上する。
【００２３】
ここで、上記ＣＴスキャナー及び上記放射線照射装置を直線運動（直線移動）させる移動機構として、上記ＣＴスキャナーと上記放射線照射装置とが、それぞれ直線移動機構を備え、これらの移動方向が互いに交差する形、好ましくは直交又は実質的に直交する形で配設されると共に、上記共通寝台がこれらの移動可能な位置の近傍に配設されたものであれば、患者及びその病巣は、寝台と同じ一つの座標系にあり、直線移動機構を備えたＣＴスキャナーにより病巣は、位置を正確に把握され、その状態のまま、ＣＴスキャナーを後退させて、直線移動機構を備えた放射線照射装置を患者の病巣位置に合わせて移動させることによって、病巣の放射線照射を行うことができる。この放射線治療用複合装置によれば、位置合わせから照射までの間の寝台の移動を少なくすることができ、全く寝台を移動させないで治療することも可能となる。従って、極めて誤差が生じ難く、三次元空間内で正確に病巣の位置を維持でき、精度管理も格段に向上する。更に上記ＣＴスキャナーが、上記放射線照射装置の移動方向と同方向に移動する直線移動機構を備えたものであれば、ＣＴスキャンの際に、ＣＴスキャナーを放射線照射装置と同方向の直線移動機構によって共通寝台の前に移動させた後、共通寝台がＣＴスキャナーの所定位置となるように前進させることができる。
【００２４】
上記ＣＴスキャナーを直線運動（直線移動）させる移動機構及び上記放射線照射装置を曲線運動（曲線移動）させる移動機構として、上記ＣＴスキャナーが上記共通寝台に対して前後方向に移動可能な直線移動機構を備えると共に、上記放射線照射装置が上記共通寝台の周りを円周方向、例えば上記共通寝台を中心とした円周方向又は上記共通寝台が上記放射線照射装置の曲線移動可能な円周の中心と上記曲線移動機構による円弧との間に位置するような円周方向に移動可能な曲線移動機構を備えたものであれば、移動機構を備えたＣＴスキャナーにより病巣の位置が正確に把握され、その状態のまま、ＣＴスキャナーを後退させて、共通寝台を中にした円周方向、例えば上記共通寝台の近傍を通り、共通寝台を中心とした円周方向に曲線移動可能な移動機構を備えた放射線照射装置を患者の病巣位置に合わせて移動させることによって、病巣の放射線照射を行うことができる。この複合装置によっても位置合わせから照射までの間の寝台の移動を少なくすることができ、全く寝台を移動させないで治療することも可能となる。
【００２５】
上記ＣＴスキャナー及び上記放射線照射装置を曲線運動（曲線移動）させると共に、上記ＣＴスキャナーを直線運動（直線移動）させる移動機構として、上記スキャナー及び上記放射線照射装置が上記共通寝台の周りを円周方向、例えば上記共通寝台を中心とした円周方向、又は上記共通寝台が上記放射線照射装置の曲線移動可能な円周の中心と上記曲線移動機構による円弧との間に位置するような円周方向に移動可能な曲線移動機構を備えると共に、上記ＣＴスキャナーが更に上記共通寝台に対して前後方向に移動可能な直線移動機構を備えたものであれば、曲線移動機構により共通寝台の前に移動したＣＴスキャナーをその直線移動機構により上記共通寝台がＣＴスキャナーの所定位置になるように共通寝台側に前進させて病巣の位置を正確に把握し、その状態のまま、ＣＴスキャナーを後退、曲線移動させて、例えば上記共通寝台の近傍を通り、共通寝台を中にした円周方向に曲線移動可能な移動機構を備えた放射線照射装置を患者の病巣位置に合わせて移動させることによって、病巣の放射線照射を行うことができる。この複合装置によっても位置合わせから照射までの間の寝台の移動を少なくすることができ、全く寝台を移動させないで治療することも可能となる。
【００２６】
更に、上記ＣＴスキャナー及び上記共通寝台を直線運動（直線移動）させる移動機構として、上記ＣＴスキャナーと上記共通寝台とが移動方向が互いに交差する、好ましくは直交又は実質的に直交する直線移動機構をそれぞれ備え、上記ＣＴスキャナーと上記放射線照射装置とが横並びに配設されると共に、上記共通寝台がこれらの間を直線移動可能となるように配設されたものであっても、被照射者を載せた共通寝台を病巣合わせの際は、ＣＴスキャナーのところに移動させると共に、ＣＴスキャナーを共通寝台の方に前進させ、放射線照射の際には、ＣＴスキャナーを共通寝台から後退させると共に、共通寝台を放射線照射装置のところに移動させることができ、患者を載せた共通寝台を回転運動させることなく、移動を行うことが可能となる。
【００２７】
そしてまた、上記ＣＴスキャナーを直線運動（直線移動）させる移動機構及び上記共通寝台を曲線運動（曲線移動）させる移動機構として、上記共通寝台が曲線移動機構を備えると共に、上記ＣＴスキャナーと上記放射線照射装置とが上記共通寝台が移動可能な曲線の近傍に配設され、上記共通寝台が上記ＣＴスキャナーの前に位置したときに、上記ＣＴスキャナーが上記共通寝台に対して前後方向に移動可能な直線移動機構を備えたものであれば、被照射者を載せた共通寝台を病巣合わせの際は、ＣＴスキャナーのところに移動させると共に、ＣＴスキャナーを共通寝台の方に前進させ、放射線照射の際には、ＣＴスキャナーを共通寝台から後退させると共に、共通寝台を放射線照射装置のところに移動させることができ、患者を載せた共通寝台を回転運動させることなく移動することが可能となるので、患者はひとつの座標系のなかで移動していると見なすことができる。
【００２８】
本発明の放射線治療用複合装置が、特に上記（１）記載の複合装置の場合、上記共通寝台がアイソセントリック回転機構を備えたものであると、上記共通寝台を移動させることなく上記被照射者を上記所定位置に配置させることが可能な放射線治療用複合装置については勿論、上記共通寝台を移動させる放射線治療用複合装置であっても、共通寝台の回転運動ではなく直線移動又は曲線移動によって移動することによって、アイソセントリック回転機構も付随して移動させることができるので、ＣＴスキャナーにおけるスキャンの際にも、上記共通寝台のアイソセントリック回転機構を利用することが可能となり、より効果的である。
【００２９】
一方、本発明の放射線治療用複合装置の移動手段が、上記共通寝台の直線運動、又は上記ＣＴスキャナーの直線運動と上記放射線照射装置の直線運動と上記共通寝台の直線運動を生じさせるものであっても、上述したように共通寝台の回転運動によらずに被照射者の移動を行うことが可能であり、例えば、上記共通寝台を直線運動（直線移動）させる移動機構として、上記ＣＴスキャナーに設けられた第一寝台と、上記放射線照射装置に設けられた第二寝台と、上記共通寝台を直線的に移動させる移動部材とを備え、上記共通寝台が直列するように配設された上記第一寝台と上記第二寝台との少なくとも一方の上面に載置され、上記移動部材によって上記第一寝台の上面と上記第二寝台の上面との間で直線的に移動するもの、即ち、上記ＣＴスキャナーが第一寝台を備え、上記放射線照射装置が第二寝台を備え、且つ直列するように配設された上記第一寝台と上記第二寝台との少なくとも一方の上面に上記共通寝台が載置されており、該共通寝台を上記第一寝台の上面と上記第二寝台の上面との間で直線的に移動させる移動部材を備えたものであれば、被照射者を載せた共通寝台を病巣合わせの際は、ＣＴスキャナーの第一寝台の上に載せ、放射線照射の際には、放射線照射装置の第二寝台の上に載るように直線移動させることができ、患者を載せた共通寝台を回転運動させることなく、移動を行うことが可能となる。
【００３０】
また、上記ＣＴスキャナー、上記放射線照射装置及び上記共通寝台を直線運動（直線移動）させる移動機構として、上記ＣＴスキャナーと上記放射線照射装置とが、それぞれ直線移動機構を備え、これらの移動方向が互いに交差する形、好ましくは直交又は実質的に直交する形で配設されると共に、上記ＣＴスキャナーに設けられた第一寝台と、上記放射線照射装置に使用される第二寝台と、上記共通寝台を直線的に移動させる移動部材とを備え、上記共通寝台が、直列するように配設された上記第一寝台と上記第二寝台との少なくとも一方の上面に載置され、上記移動部材によって上記第一寝台の上面と上記第二寝台の上面との間で直線的に移動するものであれば、被照射者を載せた共通寝台を病巣合わせの際は、ＣＴスキャナーの第一寝台の上に載せ、放射線照射の際には、第二寝台の上に載るように直線移動させると共に、放射線照射装置を第二寝台のところに移動させることができ、患者を載せた共通寝台を回転運動させることなく、移動を行うことが可能となる。
【００３１】
上記放射線治療用複合装置が、更に、Ｘ線シミュレーターを備え、上記移動手段として、上記共通寝台に載った上記被照射者を更に上記Ｘ線シミュレーターの所定位置に配置させる移動機構を備えたものであると、Ｘ線シミュレーターによって、例えば患者の呼吸などによって体内で患部が動き、ＣＴスキャナーによる位置合わせにずれが生じていないかなどの確認を行うことができ、ずれが生じた場合、その結果を例えば位置制御機構に入力し、位置補正を行って再度、放射線照射装置側に移動させる際に、移動が直線運動又は曲線運動により行われるので、位置補正の精度管理も向上する。また、上述したように、本発明の複合装置の上記共通寝台がアイソセントリック回転機構を備えたものであれば、Ｘ線シミュレーターにおいてもアイソセントリック回転機構を利用することが可能となり、特にＸ線シミュレーターによる位置決めの場合、得られた二次元影像にＣＴスキャンの三次元データーをコンピューター処理によって合わせることによって、三次元における位置決めを行っていたので、このようにＸ線シミュレーターにおいてもアイソセントリック回転機構を利用することができれば、三次元における位置決めを容易に行うことができ、更にその精度を向上させることも可能となる。
【００３２】
本発明の複合装置にＸ線シミュレーターを加える場合、上記ＣＴスキャナーの直線運動と上記放射線照射装置の直線運動と上記Ｘ線シミュレーターの直線運動、上記ＣＴスキャナーの直線運動と上記放射線照射装置の曲線運動と上記Ｘ線シミュレーターの曲線運動、上記ＣＴスキャナーと上記放射線照射装置と上記Ｘ線シミュレーターの曲線運動及び上記ＣＴスキャナーの直線運動、上記ＣＴスキャナーの直線運動と上記共通寝台の直線運動、又は上記ＣＴスキャナーの直線運動と上記共通寝台の曲線運動のいずれかを生じさせる移動手段によって、上記共通寝台に載った上記被照射者を更に上記Ｘ線シミュレーターの所定位置に配置させることができる。
【００３３】
より具体的には、１）上記ＣＴスキャナー、上記放射線照射装置、上記Ｘ線シミュレーターを直線運動（直線移動）させる移動機構として、上記ＣＴスキャナーと上記放射線照射装置と上記Ｘ線シミュレーターが、それぞれ直線移動機構を備え、上記ＣＴスキャナーの移動方向と上記放射線照射装置及び上記Ｘ線シミュレーターの移動方向とが互いに交差、好ましくは直交又は実質的に直交する形で配設されると共に、上記共通寝台がこれらの移動可能な位置の近傍に配設されたもの、２）上記１）において、上記ＣＴスキャナーが、更に上記放射線照射装置及び上記Ｘ線シミュレーターの移動方向と同方向に移動する直線移動機構を備えたもの、３）上記ＣＴスキャナーを直線運動させ、上記放射線照射装置及び上記Ｘ線シミュレーターを曲線運動させる移動機構として、上記ＣＴスキャナーが上記共通寝台に対して前後方向に移動可能な直線移動機構を備えると共に、上記放射線照射装置及び上記Ｘ線シミュレーターが上記共通寝台の周りを円周方向、例えば上記共通寝台を中心とした円周方向、又は上記共通寝台が上記放射線照射装置の曲線移動可能な円周の中心と上記曲線移動機構による円弧との間に位置するような円周方向に移動可能な曲線移動機構を備えたもの、４）上記ＣＴスキャナー、上記放射線照射装置及び上記Ｘ線シミュレーターを曲線運動させると共に、上記ＣＴスキャナーを直線運動させる移動機構として、上記ＣＴスキャナー、上記放射線照射装置及び上記Ｘ線シミュレーターが上記共通寝台の周りを円周方向、例えば上記共通寝台を中心とした円周方向、又は上記共通寝台が上記放射線照射装置の曲線移動可能な円周の中心と上記曲線移動機構による円弧との間に位置するような円周方向に移動可能な曲線移動機構を備えると共に、上記ＣＴスキャナーが上記共通寝台が上記ＣＴスキャナーの前に位置したときに上記共通寝台に対して前後方向に移動可能な直線移動機構を備えたもの、５）上記ＣＴスキャナー及び上記共通寝台を直線運動させる移動機構として、上記ＣＴスキャナーと上記共通寝台とが移動方向が互いに交差する、好ましくは直交又は実質的に直交する直線移動機構をそれぞれ備え、上記ＣＴスキャナーと上記放射線照射装置と上記Ｘ線シミュレーターとが横並びに配設されると共に、上記共通寝台がこれらの間を直線移動可能となるように配設されたもの、又は６）上記ＣＴスキャナーを直線運動させ、上記共通寝台を曲線運動させる移動機構として、上記共通寝台が曲線移動機構を備えると共に、上記ＣＴスキャナーと上記放射線照射装置と上記Ｘ線シミュレーターとが上記共通寝台が移動可能な曲線の近傍に配設され、上記共通寝台が上記ＣＴスキャナーの前に位置した時に、上記ＣＴスキャナーが上記共通寝台に対して前後方向に移動可能な直線移動機構を備えたものであれば、いずれの場合も共通寝台を回転させることなく、更に、上記共通寝台に載った上記被照射者を位置精度よく上記Ｘ線シミュレーターの所定位置に配置させることが可能となる。また、上記共通寝台がアイソセントリック回転機構を備えたものであれば、上述したようにＸ線シミュレーターにおいてもアイソセントリック回転機構を利用することが可能となる。
【００３４】
ここで、本発明において上記共通寝台の曲線移動機構としては、例えば曲線レールを利用した自走機構、曲線移動するスライド床を利用したスライド機構などの他、上記共通寝台を載置するターンテーブルを床面に備えた機構も利用することができ、このターンテーブル上に上記共通寝台を載置、固定すれば、共通寝台の曲線移動を円滑に行うことができ、また、上記共通寝台がアイソセントリック回転機構を備えたものであれば、このターンテーブルに共通寝台のアイソセントリック回転機構を付随させることも容易となる。
【００３５】
また、本発明においてＸ線シュミレーターも複合装置に含む場合、上記移動手段が、７）上記共通寝台を直線運動させる移動機構として、上記ＣＴスキャナーに設けられた第一寝台と、上記放射線照射装置に設けられた第二寝台と、上記Ｘ線シミュレーターに設けられた第三寝台と、上記共通寝台を直線的に移動させる移動部材とを備え、上記共通寝台が、直列するように配設された上記第三寝台と上記第一寝台と上記第二寝台とのいずれかの上面に載置され、上記移動部材によって上記第三寝台の上面と上記第一寝台の上面と上記第二寝台の上面との間で直線的に移動するものであったり、８）上記共通寝台、上記ＣＴスキャナー、上記放射線照射装置及びＸ線シミュレーターを直進運動させる移動機構を備えたものであり、上記移動機構として、上記ＣＴスキャナーと上記放射線照射装置と上記Ｘ線シミュレーターとが、それぞれ直線移動機構を備え、上記ＣＴスキャナーの移動方向と上記放射線照射装置及び上記Ｘ線シミュレーターの移動方向とが互いに交差する形、好ましくは直交又は実質的に直交する形で配設され、更に上記ＣＴスキャナーに設けられた第一寝台と、上記放射線照射装置及び上記Ｘ線シミュレーターに使用される第二寝台と、上記共通寝台を直線的に移動させる移動部材とを備え、上記共通寝台が、直列するように配設された上記第一寝台と上記第二寝台とのいずれかの上面に載置され、上記移動部材によって上記第一寝台の上面と上記第二寝台の上面との間で直線的に移動するものであっても、共通寝台を回転させることなく、更に、上記共通寝台に載った上記被照射者を位置精度よく上記Ｘ線シミュレーターの所定位置に配置させることが可能となる。
【００３６】
ここで、本発明において第一寝台、第二寝台、必要に応じて第三寝台の上面を移動する共通寝台を利用する場合、上記共通寝台の移動は、第一寝台、第二寝台の二つの寝台、必要に応じて第三寝台の上を滑らかに直線移動することが望ましいことから、移動機構としては、移動部材として、ローラー、車輪、移動用レールと該移動用レールに対応する摺動部との組み合わせ又はコンベアを利用したものが、より好ましい。
【００３７】
更に、本発明の放射線治療用複合装置において、上記ＣＴスキャナーの検出可能領域（ガントリのトンネル部）の直径が１．５〜３ｍであれば、上記ＣＴスキャナーがその検出可能領域において上記被照射者を横方向（体の左右方向）に移動させる移動手段（上記被照射者の横方向の位置を調整する位置調整手段）を備えることによって、例えば、上記断層面をスキャンする前に、予備スキャンによって寝台上に載った被照射者の患部の位置確認を行い、患部がガントリのトンネル部において横方向の中心からずれていても、トンネル部の上下方向、体軸方向のみならず、その横方向の位置調整も行えるので、ＣＴスキャナーにより患部を含む横断面をスキャンする際に、その中心点に患部を位置させることが可能となる。
【００３８】
また、共通寝台がアイソセントリック回転機構を備えたものであれば、上述したように、本発明においては共通寝台のアイソセントリック回転機構をＣＴスキャナーにおいても利用することも可能であり、この場合、ＣＴスキャナーのガントリのトンネル部の径を上記大きさとすることによって、寝台のアイソセントリック回転機構をより有効に機能させることが可能となる。なお、ガントリのトンネル部の直径を上記大きさとしたＣＴスキャナーは、本発明以外の複合装置、ＣＴスキャナー（例えば放射線照射装置とは別室に設置されたＣＴスキャナー）においても有用であり、例えば上述した回転式寝台を使用した複合装置のＣＴスキャナーとして使用しても有用である。
【発明の効果】
【００３９】
本発明の放射線治療用複合装置によれば、悪性腫瘍などを放射線治療する際に、ＣＴスキャナーによる正確な位置合わせをした状態を維持したままで、放射線照射を行うことが可能となり、放射線治療における治療位置の精度管理を格段に向上させて、治療成績を向上させることができる。
【発明を実施するための最良の形態】
【００４０】
以下、本発明につき図面を参照にして更に詳しく説明する。
【実施例】
【００４１】
図１は、本発明の放射線治療用複合装置の第一の構成例を説明する放射線治療用複合装置Ａ１を上方から見た状態を模式的に示した概略平面図である。
【００４２】
放射線治療用複合装置Ａ１は、それぞれ直線移動機構を備えたＣＴスキャナー１と放射線照射装置２とを備え、同室（治療室内）にこれらの移動方向が互いに直交する形で配設されている。ここで、本発明において、ＣＴスキャナーと放射線照射装置は、これらの移動方向が交差する形に配設されていればよく、例えばこれらの移動方向が斜交するように配設することもできるが、直交又は実質的に直交する形に配設されていることが望ましい。そして、これらに使用される共通寝台３が、これらの移動によって使用可能な位置となるように、ＣＴスキャナー１、放射線照射装置２の移動範囲内（移動可能な位置の近傍）となるように、ここではこれらの移動方向が直交する位置（交点）の近傍に配設されている。また、本構成例及び以下の構成例においては、ＣＴスキャナーの制御装置、ＣＴスキャナーにより得られた計測結果、画像などを表示する画像表示制御用操作装置、放射線照射装置の制御装置などのＣＴスキャナーの計測結果による位置合わせから放射線照射装置２による放射線照射までなどの一連の操作を管理、制御するコンピューター制御システム（図示せず）が、治療室又は別室に設けられた操作室に備えられている。なお、本構成例及び以下の構成例においてＣＴスキャナー、放射線照射装置、Ｘ線シミュレーター、共通寝台の移動機構の作動は、コンピューター制御のみならず、マニュアル式であってもメカニカルなものであってもよい。
【００４３】
この放射線治療用複合装置Ａ１において、ＣＴスキャナー、放射線照射装置の直線移動機構は、特に制限されるものではないが、例えば、ＣＴスキャナーの直線移動機構としては、二本のＣＴスキャナー用レール４、４を治療室の床面５（図１９参照）に設け、このレール４、４上を図示しないコンピューターの制御により駆動部（例えばモーター）が駆動して直線方向（図中矢印ｂ）、即ち、図面上ｘ軸方向に沿って移動する床面自走機構、床面に代えて天井にレールを設けた天井自走機構（図示せず）、床面に代えてＣＴスキャナーの両側面に壁体を設け、この壁面にレールを設けた壁面自走機構（図示せず）等の自走機構、ＣＴスキャナーを図示しないコンピューターの制御により駆動部（例えばモーター）が駆動して直線方向（図中矢印ｂ）、即ち、図面上ｘ軸方向に沿って移動するスライド床（図示せず）に載せたスライド機構などの摺動機構等を直線移動機構として挙げることができる。
【００４４】
放射線照射装置の直線移動機構としては、二本の放射線照射装置用レール６、６をＣＴスキャナー用のレール４、４と直交する方向となるように治療室の床面５（図１９参照）に設け、このレール６、６上を図示しないコンピューターの制御により駆動部（例えばモーター）が駆動して直線方向（図中矢印ｄ）、即ち、図面上ｙ軸方向に沿って移動する床面自走機構、床面に代えて天井にレールを設けた天井自走機構（図示せず）、床面に代えて放射線照射装置の両側面に壁体を設け、この壁面にレールを設けた壁面自走機構（図示せず）等の自走機構、放射線照射装置を図示しないコンピューターの制御により駆動部（例えばモーター）が駆動して直線方向（図中矢印ｄ）、即ち、図面上ｙ軸方向に沿って移動するスライド床（図示せず）に載せたスライド機構などの直線移動機構（摺動機構）を挙げることができる。なお、放射線照射装置用のレールは、１本とすることもできる。
【００４５】
本構成例及び以下の構成例において移動機構としてスライド床を用いたスライド機構を利用する場合、治療室の床面の凹凸を少なくするために、例えばジャバラ床などを利用することもできる。更に、本構成例及び以下の構成例において、ＣＴスキャナー、放射線照射装置、共通寝台、Ｘ線シミュレーターの移動機構は、それぞれ他の移動をし難くしないように工夫すると、より好適であり、例えば本構成例の放射線治療用複合装置Ａ１のように、ＣＴスキャナーの移動範囲と放射線照射装置の移動範囲とが交差する場合、これらの直線移動機構として上述したような自走機構を利用するのであれば、例えば一方が床面自走機構であれば、他方を壁面自走機構又は天井自走機構とするなどの工夫をすることが望ましい。従って、図１及び以下の図面においてレールを示した場合、特に説明がなくても、床面自走機構、壁面自走機構、天井自走機構、スライド床を利用したスライド機構のいずれも適宜選択して利用することができる。また、レールの長さ、２本のレールの場合の間隔は、図面に示した大きさによらず、装置の大きさ、配置などにあわせて適宜選定することができる。
【００４６】
ＣＴスキャナー１は、直線移動機構が備えられている限り、通常使用されている装置を使用することができるが、本構成例及び以下の構成例においては、図１７に検出装置（ガントリ）１ｂの部分を模式的に示したＣＴスキャナー１のように、ＣＴスキャナーの検出可能領域であるガントリ１ｂのトンネル部１ｃにおける被照射者（患者）Ｂの位置を横方向に位置調整可能となるように、直径が従来のものより大きく構成されていると、より精度よく患部（病巣）Ｃの位置合わせを行うことができる。即ち、図１７に示すＣＴスキャナー１において、ＣＴスキャナーの検出装置であるガントリ１ｂのトンネル部１ｃは、被照射者Ｂが載置された共通寝台３が、トンネル部１ｃにおいて横方向に沿って、即ち、図中矢印ｆのように移動可能となるように、直径が好ましくは１．５〜３ｍ、より好ましくは２〜２．５ｍ程度となるように構成されており、ガントリ１ｂのトンネル部１ｃにおいて被照射者（患者）Ｂを横方向（図中矢印ｆ）に移動させる位置調整手段（図示せず）を備えたものである。
【００４７】
トンネル部１ｃにおいて被照射者Ｂの横方向の位置を調整する位置調整手段としては、特に制限されるものではなく、種々の横方向の移動手段を採用することができ、例えば、ＣＴスキャナーの予備スキャンデータに従って、図示しないコンピューターの制御により共通寝台３の上面にスライド可能に支持され、患者を載せた天板３ａを寝台上の被照射者の体の左右方向（図面上は横方向、図中矢印ｆ）に図示しない内部の駆動機構により平行移動（スライド）させるスライド機構などの位置調整機構（図示せず）を備える共通寝台３をＣＴスキャンの際に使用することによって、ＣＴスキャナーがトンネル部１ｃにおいて被照射者Ｂの横方向の位置を調整する位置調整手段を備えた構成となり、例えば、図中の想像線（二点鎖線）で示すように患者Ｂの患部（病巣）Ｃが体の横方向の一端側寄りに存在し、体の横方向の中心から大きく外れていても、患部Ｃがトンネル部１ｃの横方向中心となるように移動させ、必要に応じて従来のＣＴスキャナーと同様に上下方向（図中矢印ｉ）の移動手段（通常、寝台の高さ調整）によって高さ方向も調整すれば、図中の実線で示すように、患部（病巣）Ｃの中心位置とＣＴスキャナー１の検出可能領域（ガントリ１ｂのトンネル部１ｃ）の中心位置（図中一点鎖線ｊ、ｋの交点）とを一致させることができる。この状態で、ＣＴスキャンを行えば、スキャンを行う断層面の中心と病巣の中心が一致する。従って、悪性腫瘍などを放射線治療する際に、身体のどの部位に発生した腫瘍であろうとも、ＣＴスキャナーのガントリの中心で病巣を検出することが可能となり、極めて正確に病巣位置を認識して放射線照射を行うことが可能となる。
【００４８】
本構成例及び以下の構成例において放射線照射装置２は、ロボットアーム型のリニアック、Ｃ−アーム型のリニアックなどの種々のリニアックなどの通常使用されている放射線照射装置を使用することができる。
【００４９】
この放射線治療用複合装置Ａ１及び後述する放射線治療用複合装置Ａ２〜Ａ１０、Ａ１’、Ａ２’、Ａ４’において使用する共通寝台３としては、放射線照射の照射野中心、放射線照射の角度などを変えることができるように、円方向（図中矢印ｃ）に位置調整可能なアイソセントリック回転機構Ｄを有するものなどが好適に使用される。即ち、図１９に示した治療用寝台２０と同様に、図１に示した共通寝台３の先端側（使用する装置側の端部）近傍の床面にアイソセンタｒが回転中心となるように設けられたターンテーブル３ｂ（図１９では２０ｂ）の周縁に回転板（図１では図示せず、図１９では２０ｄ）の先端側（使用する装置に対してほぼ正面を向いた状態において装置側となる端部）を回転板がターンテーブル３ｂと一体となって回転するように固設し、この回転板上に共通寝台３の架台（図１では図示せず、図１９では２０ｃ）を載置することによって、共通寝台３をターンテーブル３ｂと共に水平回転可能となるように連結すると共通寝台にアイソセントリック回転機能Ｄを持たせることができる。更に共通寝台３としては、アイソセントリック回転機構Ｄに加えて、上述したようにＣＴスキャナーのトンネル部において横方向の位置調整が可能となるように、使用する装置に対して天板３ａ（図１９では２０ａ）が横方向（図中矢印ｆ）に位置調整可能な機構を備えていることが望ましく、更に前後方向、高さ方向にも位置調整可能な機構を有し、例えば放射線照射装置用の治療器寝台（治療用寝台）として使用されている寝台を好適に使用することができる。なお、本発明において上記共通寝台がアイソセントリック回転機構を有することが好ましいが、図中矢印ｃで示したような位置回転する機構であれば、その構成が特に限定されるものではなく、上記構成以外の構成からなるアイソセントリック回転機構を使用することができる。従って、図１及び以下の図面においてターンテーブル３ｂの位置、大きさは適宜選定することができ、また、例えば他の構成例に係る放射線治療用複合装置Ａ１’を示す図２１のように寝台のアイソセントリック回転方向を矢印ｃで示すことによってターンテーブル３ｂを図示しないこともできる。
【００５０】
放射線治療用複合装置Ａ１において、患者は常に共通寝台３の上に載置されている。そして、病巣位置合わせの際は、ＣＴスキャナー１を図面上ｘ軸のマイナス方向（図面上は左方向）に直線移動させ、病巣の位置を正確に把握し、その後、ＣＴスキャナー１を図面上ｘ軸のプラス方向（図面上は右方向）に直線移動して後退させる。次いで、照射の際には、ＣＴスキャナー１の位置データに従って放射線照射装置２を患者の病巣位置に合わせて図面上ｙ軸のプラス方向（図面上は上方向）に直線移動させることによって、病巣の放射線照射を行うことができ、位置合わせから照射までの間の寝台の移動をなくすことが可能となる。これにより、位置合わせから放射線治療までの間に介在した寝台の回転運動が省かれるため、回転運動に付随する誤差が介入する余地が消失する。また、上述したようにＣＴスキャナー、放射線照射装置の移動機構がコンピューター制御されているものであれば、コンピューターからの指令により、精度よく所定の位置に直線移動させることができる。
【００５１】
ここで、更に、ＣＴスキャナー１が上述したように、その検出可能領域の直径が上記大きさであり、検出可能領域において被照射者の横方向の位置を調整する位置調整手段を備えることによって、検出可能領域において患部を横方向に位置調整可能な構成したものであれば、ＣＴスキャンを行う際には、被照射者を載せた共通寝台３は、体軸に直交する通常の横断面像あるいはその断面変換像を予備ＣＴスキャンデーターから作成し、その表示画面から患部の中心とＣＴスキャン（走査）する際の横断面の中心軸とが一致するように、寝台の位置制御機構によって、寝台を横方向に位置調整すると共に、必要に応じて高さ方向の位置調整を行う。その後、ＣＴスキャンを行い、病巣（被照射部）がＣＴスキャナー１のガントリ１ｂ（図１７参照）のトンネル部１ｃ（図１７参照）の中心に正確に一致していることを確認する。照射の際には、ＣＴスキャナー１で確認した位置のデータに従って、図示しないコンピューター制御機構により被照射者を載せた共通寝台３が放射線照射装置２の所定位置となるように配置される。これにより、誤算のない病巣の位置に対して、放射線治療を行うことができ、優れた治療精度やその精度管理が容易となる。従って、本発明においてこのようなＣＴスキャナーを使用すれば、病巣の中心を放射線治療室内の三次元空間における本当の原点に一致させることが可能となる。このように位置合わせができるようになれば、誤差の介入する余地がなくなり、格段に優れた治療精度やその精度管理が可能となる。
【００５２】
更に、図１に示すように、ＣＴスキャナー１を共通寝台３の先端側（ターンテーブル３ｂ側）に配設すると、共通寝台３に備えられたアイソセントリック回転機構Ｄを放射線照射装置２、ＣＴスキャナーにおいて利用することが可能となるので、更に優れた治療精度やその制度管理が可能となる。ここで、ＣＴスキャナーのガントリのトンネル部の直径が上記大きさであれば、共通寝台３に備えられたアイソセントリック回転機構を利用したガントリ内における患部の位置調整がより容易となる。
【００５３】
なお、本発明の複合装置としては、図２１に示した放射線治療用複合装置Ａ１’のように、ＣＴスキャナー１を共通寝台３の後端側に配設することもでき、この放射線治療用複合装置Ａ１’によっても、ＣＴスキャナー１を図面上ｘ軸のプラス方向に直線移動させ、病巣の位置を正確に把握し、その後、ＣＴスキャナー１を図面上ｘ軸のマイナス方向に直線移動させて後退させ、次いで、放射線照射装置２を患者の病巣位置に合わせて図面上ｙ軸のプラス方向に直線移動させることによって、病巣の放射線照射を行うことができ、位置合わせから照射までの間に共通寝台３を移動させないで治療することが可能となる。また、ＣＴスキャナーをその検出可能領域において患部を横方向に移動可能（位置調整可能）な構成とすれば、より位置精度が向上する。
【００５４】
次に、図２により、本発明の放射線治療用複合装置の第二の構成例を説明する。図２に示す放射線治療用複合装置Ａ２は、放射線治療用複合装置Ａ１において、放射線照射装置２の直線移動機構がレール６、６を利用したものであれば、この放射線照射装置用レール６、６の長さを延長し、レール６、６上を図示しないコンピューターの制御により放射線照射装置２と同方向の直線方向（図中矢印ｅ）、即ち、図面上ｙ軸方向に沿って移動する自走機構を備えたＸ線シミュレーター８を加えたものである。従って、この構成例においては、放射線照射装置２とＸ線シミュレーター８の直線移動機構は、ＣＴスキャナー１の直線移動方向と直交する。なお、この構成例においても、Ｘ線シミュレーター８の直線移動機構として、レールを使用した自走機構の他、スライド床を利用したスライド機構などを利用することができる。また、この構成例においても、放射線治療用複合装置Ａ１と同様の共通寝台３が好適に使用される。
【００５５】
この放射線治療用複合装置Ａ２によれば、上記放射線治療用複合装置Ａ１の上記機能に加え、放射線照射を一旦中断し、例えば図示しないコンピューター制御機構などによって放射線照射装置２を図面上ｙ軸のマイナス方向（図面上は下方向）の直線移動により共通寝台３の位置から後退させると共に、Ｘ線シミュレーター８を図面上ｙ軸のマイナス方向（図面上は下方向）の直線移動により共通寝台３の前に移動させれば、Ｘ線シミュレーター８によって、例えば患者の呼吸などによって体内で患部が動き、ＣＴスキャナーによる位置合わせにずれが生じていないかどうかなどの確認を行うことができる。この時、共通寝台３がアイソセントリック回転機構を備えたものであれば、Ｘ線シミュレーター８においてもアイソセントリック回転機構を利用することができるので、より精度よく位置確認を行うことが可能となる。その後、再び図示しないコンピューター制御機構などによりＸ線シミュレーター８、放射線照射装置２の位置を元に戻すことによって、精度よく位置補正された状態で放射線照射を再開することができる。また、放射線治療用複合装置Ａ１と同様にＣＴスキャナーをその検出可能領域において患部を横方向に位置調整可能（移動可能）な構成とすることによって、より位置精度が向上する。
【００５６】
なお、本発明の複合装置としては、図２２に示した放射線治療用複合装置Ａ２’のように、ＣＴスキャナー１を共通寝台３の後端側に配設することもできる。この放射線治療用複合装置Ａ２’によっても上記放射線治療用複合装置Ａ１’の上記機能に加え、放射線照射を一旦中断し、放射線照射装置２を図面上ｙ軸のマイナス方向（図面上は下方向）の直線移動により後退させると共に、Ｘ線シミュレーター８を図面上ｙ軸のマイナス方向（図面上は下方向）の直線移動により後退させれば、放射線治療用複合装置Ａ２と同様にしてＸ線シミュレーター８によって、位置の確認を行うことができ、Ｘ線シミュレーター８、放射線照射装置２の位置を元に戻すことによって、精度よく位置補正された状態で放射線照射を再開することができる。また、放射線治療用複合装置Ａ１と同様にＣＴスキャナーをその検出可能領域において患部を横方向に位置調整可能な構成とすることによって、より位置精度が向上する。更に、共通寝台３がアイソセントリック回転機構を備えたものであれば、Ｘ線シミュレーター８においてもアイソセントリック回転機構を利用することが可能となる。
【００５７】
図３に示す放射線治療用複合装置Ａ３は、上記放射線治療用複合装置Ａ２のＣＴスキャナーが、更に放射線照射装置の移動方向と同方向に移動する直線移動機構を備えたものであり、図２に示す放射線治療用複合装置Ａ２において、ＣＴスキャナー１を上記直線方向（図中矢印ｂ）に移動させる直線移動機構ごと移動用架台１ｃに載せ、この移動用架台１ｃを放射線治療用複合装置Ａ２において、放射線照射装置２、Ｘ線シミュレーター８の直線移動機構がレール６、６を利用したものであれば、この放射線照射装置用レール６、６の長さを更に延長し、レール６、６上を図示しないコンピューターの制御により放射線照射装置２、Ｘ線シミュレーター８と同方向の直線方向（図中矢印ｂ’）、即ち、図面上ｙ軸方向（図２参照）に沿って移動するようにしたものである。そして、放射線照射装置２とＸ線シミュレーター８についても、それぞれ移動用架台２ｃ、８ｃに載せて、移動用架台２ｃ、８ｃがレール上を摺動するようにしたものである。なお、この構成例においても、これらの直線移動機構として、レールを使用した自走機構の他、各移動用架台１ｃ、２ｃ、８ｃをスライド床としてスライドさせるスライド機構などの種々の摺動機構を好適に利用することができる。また、この構成例においても、放射線治療用複合装置Ａ１と同様の共通寝台３が好適に使用される。
【００５８】
この放射線治療用複合装置Ａ３によれば、各装置の所定位置に共通寝台を位置させるときには、それぞれの直線移動機構によって、使用する装置を共通寝台の前に移動させ、ＣＴスキャナーについては、更に、共通寝台に向かって前進させることによって、共通寝台が所定位置となるようにすることができる。また、共通寝台３がアイソセントリック回転機構Ｄを備えたものであれば、そのアイソセントリック回転機構Ｄを放射線照射装置２、ＣＴスキャナー１、Ｘ線シミュレーター８において利用することが可能である。なお、本発明の場合、放射線治療用複合装置Ａ１のように、放射線治療用複合装置Ａ３においてＸ線シミュレーター８を使用しない構成とすることもできる。
【００５９】
図４に示す放射線治療用複合装置Ａ４は、共通寝台３に対して前後方向に移動可能な直線移動機構を備えたＣＴスキャナー１、共通寝台３を中心とした円周方向に移動可能な曲線移動機構を備えた放射線照射装置２を使用し、ＣＴスキャナー１の移動方向、放射線照射装置２の移動中心に共通寝台３が位置するように（移動中心と共通寝台３の中心とがほぼ一致するように）、即ち、ＣＴスキャナー１の移動範囲と放射線照射装置２の移動範囲とが交差する位置の近傍に共通寝台３が配設されている。ここで、本発明の場合、放射線照射装置２の曲線移動機構は、共通寝台３を囲むようにその周囲を円周方向に移動可能なものであればよい。従って、共通寝台３は、放射線照射装置２の移動可能な曲線の中に位置していればよく、例えば図６に示すように、共通寝台が放射線照射装置の移動可能な曲線の中心と曲線との間に位置するように、共通寝台３の後端部が曲線の中心近傍、先端部が曲線移動機構による円弧の近傍となるように配設されてもよい。
【００６０】
この放射線治療用複合装置Ａ４において、ＣＴスキャナー１の直線移動機構、放射線照射装置２の曲線移動機構は、特に制限されるものではなく、例えば、上記構成例と同様にＣＴスキャナー用の移動機構を、上記と同様の二本のＣＴスキャナー用のレール４、４を治療室に設け（レール６’、６’が図示したように円形となり、例えば床面レールとして利用するものであれば、好ましくは壁面又は天井に設ける）、このレール４、４上を図示しないコンピューターの制御により直線方向（図中矢印ｂ）に沿って移動する自走機構とし、放射線照射装置用の移動機構を、二本の放射線照射装置用レール６’、６’を共通寝台３を中心とした円弧又は円を描くように治療室の床面に設け、このレール６’、６’上を図示しないコンピューターの制御により円周方向（図中矢印ｄ’）、即ち、レール６’、６’が描いた円弧上を曲線移動する床面自走機構、床面に代えて天井にレールを設けた天井自走機構（図示せず）、床面に代えて装置の両側面に壁体を設け、この壁面にレールを設けた壁面自走機構（図示せず）等の自走機構、装置を図示しないコンピューターの制御により駆動部（例えばモーター）が駆動して直線方向（図中矢印ｂ）、円周方向（図中矢印ｄ’）に移動するスライド床（図示せず）に載せたスライド機構などの摺動機構とする移動機構などを挙げることができる。なお、放射線照射装置用のレールは、１本とすることもできる。また、レール６’、６’は、図示したように円形ではなく、例えばＣＴスキャナー用のレール４、４の間にレールがない円弧状、又は例えば図２３に示す他の構成例に係る放射線治療用複合装置Ａ４’のように図面上の放射線照射装置２の右側近傍から右周りにＣＴスキャナー用のレール４、４を挟んで図中矢印ｄ’で示した円周方向の左周り側の矢印の先端に相当する位置（図５のＸ線シミュレーター８の右側近傍）までの間にレールがない円弧状であってもよい。
【００６１】
この放射線治療用複合装置Ａ４に使用する共通寝台３としては、放射線治療用複合装置Ａ１の共通寝台と同じものを好適に使用することができる。この放射線治療用複合装置Ａ４の場合も、全く共通寝台３を移動させないで治療することも可能である。なお、放射線治療用複合装置Ａ４’についても同様である。
【００６２】
放射線治療用複合装置Ａ４は、患者を共通寝台３に載せ、ＣＴスキャナー１を図面上、左方向に直線移動させ、病巣の位置を正確に把握し、その後、ＣＴスキャナー１を図面上、右方向に直線移動して後退させる。次いで、放射線照射装置２を患者の病巣位置に合わせて共通寝台３を中心とする円周方向に曲線移動させることによって、病巣の放射線照射を行うことができ、位置合わせから照射までの間の寝台の移動をなくすことが可能となる。また、放射線治療用複合装置Ａ１と同様にＣＴスキャナーをその検出可能領域において患部を横方向に位置調整可能な構成とすることによって、より位置精度が向上する。更に、共通寝台３がアイソセントリック回転機構を備えたものであれば、放射線治療用複合装置Ａ１と同様のアイソセントリック回転機構による作用効果を各装置で同様に得ることが可能となる。なお、放射線治療用複合装置Ａ４’についても同様である。
【００６３】
次に、図５に示す放射線治療用複合装置Ａ５は、放射線治療用複合装置Ａ４において、放射線照射装置２の曲線移動機構がレール６’、６’を利用したものであれば、この放射線照射装置用レール６’、６’上を図示しないコンピューターの制御により放射線照射装置２と同様の円周方向（図中矢印ｅ’）に移動する自走機構を備えたＸ線シミュレーター８を加えたものである。なお、この構成例においても、Ｘ線シミュレーター８の曲線移動機構として、レールを使用した自走機構の他、スライド床を利用したスライド機構などを利用することができる。また、この構成例においても、放射線治療用複合装置Ａ１と同様の共通寝台３が好適に使用される。なお、レール４、６’については、放射線治療用複合装置Ａ４と同様である。
【００６４】
この放射線治療用複合装置Ａ５によれば、放射線治療用複合装置Ａ２と同様に放射線治療用複合装置Ａ４の上記機能に加え、放射線照射を一旦中断し、放射線照射装置２を共通寝台３の位置からずらすと共に、Ｘ線シミュレーター８を曲線移動により共通寝台３のところに配置させることによって、放射線治療用複合装置Ａ２と同様にＸ線シミュレーター８による上記作用効果、また、共通寝台３がアイソセントリック回転機構を備えたものであれば、放射線治療用複合装置Ａ２と同様のアイソセントリック回転機構による上記作用効果を得ることが可能となる。
【００６５】
図６に示す放射線治療用複合装置Ａ６は、図５に示す放射線複合装置Ａ５において、ＣＴスキャナー１を上記直線方向（図中矢印ｂ）に移動させる直線移動機構ごと移動用架台１ｃに載せ、この移動用架台１ｃを放射線治療用複合装置Ａ５において、放射線照射装置２、Ｘ線シミュレーター８の曲線移動機構が円形を描くレール６’、６’を利用したものであれば、このレール６’、６’上を図示しないコンピューターの制御により放射線照射装置２、Ｘ線シミュレーター８と同方向の円周方向（図中矢印ｂ’’）に沿って移動用架台１ｃに載ったＣＴスキャナー１が曲線移動するようにしたものである。そして、放射線照射装置２とＸ線シミュレーター８についても、それぞれ移動用架台２ｃ、８ｃに載せて、移動用架台２ｃ、８ｃがレール上を摺動するようにしたものである。なお、この構成例においては、レール６’、６’は円形にすることが望ましい。この構成例においても、これらの曲線移動機構として、レールを使用した自走機構の他、各移動用架台１ｃ、２ｃ、８ｃをスライド床としてスライドさせるスライド機構などを利用することができる。ここで、この構成例の場合、図示した共通寝台３は、ＣＴスキャナー１、放射線照射装置２、Ｘ線シミュレーター８の移動可能な曲線の中心と移動機構による円弧との間に位置するように、先端部が内側のレール６’の近傍、後端部がレール６’、６’による曲線の中心の近傍となるように配置されているが、本発明の場合、図５のように、共通寝台が上記曲線のほぼ中心に位置するように配設することもできる。また、この構成例においても、放射線治療用複合装置Ａ１と同様の共通寝台３が好適に使用される。
【００６６】
この放射線治療用複合装置Ａ６によれば、各装置の所定位置に共通寝台を位置させるときには、それぞれの曲線移動機構によって、使用する装置を共通寝台の前に移動させ、ＣＴスキャナーについては、更に、共通寝台に向かって前進させることによって、共通寝台が所定位置となるようにすることができ、放射線複合装置Ａ５と同様に位置精度のよい移動が可能となる。また、共通寝台３がアイソセントリック回転機構Ｄを備えたものであれば、アイソセントリック回転機構Ｄを放射線照射装置２、ＣＴスキャナー１、Ｘ線シミュレーター８において利用することが可能となる。なお、本発明の場合、放射線治療用複合装置Ａ３と同様に、放射線治療用複合装置Ａ６においてＸ線シミュレーター８を使用しない構成とすることもできる。
【００６７】
図７に示す放射線治療用複合装置Ａ７は、直線移動機構を備えたＣＴスキャナー１と放射線照射装置２とが共通寝台に向けて横並びに配設され、直線移動機構を備えた共通寝台３がその移動方向がＣＴスキャナー１の移動方向と直交するように配設されている。ここで、本発明において、ＣＴスキャナーと共通寝台は、これらの移動方向が交差する形に配設されていればよく、例えばこれらの移動方向が斜交するように配設することもできるが、直交又は実質的に直交する形に配設されていることが望ましい。そして、この共通寝台３は、図示しない制御機構からの指令によって、ＣＴスキャナー１の所定位置と放射線照射装置２の所定位置との間を移動できるように配設されている。ここで、共通寝台３の直線移動機構は、特に制限されるものではなく、例えば、共通寝台３を移動用架台３ｃに載置させ、二本の共通寝台移動用のレール９、９を横並びに配設されたＣＴスキャナー１と放射線照射装置２とに対応するように治療室の床面に設け、移動用架台３ｃをこのレール９、９上を図示しないコンピューターの制御により直線方向（図中矢印ａ）に沿って摺動するように取り付け、移動用架台３ｃを摺動部とすることによって、共通寝台３が移動用レール９、９に摺動可能に取り付けられた構成としたり、移動用架台３ｃをコンピューターの制御により直線方向（図中矢印ａ）に移動するスライド床となるようにしたスライド機構などの摺動機構によって移動可能とすると、好適である。
【００６８】
なお、共通寝台３としては、放射線治療用複合装置Ａ１の共通寝台として使用したアイソセントリック回転機構Ｄを備えた寝台を好適に使用することができ、このような寝台を使用する場合、移動用架台３ｃを上述したアイソセントリック回転機構の説明における床面とし、移動用架台３ｃにターンテーブル３ｂを設けることなどによって、共通寝台３のアイソセントリック回転機構Ｄも合わせて移動用架台３ｃに載せることが望ましい。また、ＣＴスキャナー１、共通寝台３の直線移動機構は、共通寝台３がＣＴスキャナー１の前に移動する際に、移動用架台３ｃとＣＴスキャナー１の移動機構とが互いに移動し難くしないように、例えばＣＴスキャナー１の移動機構に壁面自走機構、天井面自走機構を利用するなどの工夫をすることが望ましい。なお、移動用架台３ｃの大きさ、形状は適宜選定することができ、例えば、アイソセントリック回転機構を備えた寝台の後端側が載置される大きさとすることもできる。
【００６９】
この放射線治療用複合装置Ａ７においても、患者は、常に共通寝台３の上に載置されており、共通寝台３は、上述したようにその移動機構がコンピューター制御されているものであれば、コンピューターからの指令により、精度よく所定の位置に直線移動させることができ、病巣位置合わせの際は、共通寝台３がＣＴスキャナー１の所定位置に直線移動すると共に、ＣＴスキャナー１が共通寝台３の方に向かって直線移動し、照射の際には、ＣＴスキャナー１が共通寝台３から後退すると共に、共通寝台３がＣＴスキャナー１の位置データに従って放射線照射装置２の所定位置に直線移動する。これにより、位置合わせから放射線治療までの間に介在した回転運動が省かれるため、回転運動に付随する誤差が介入する余地が消失する。また、放射線治療用複合装置Ａ１と同様にＣＴスキャナーをその検出可能領域において患部を横方向に位置調整可能な構成とすることによって、より位置精度が向上する。更に、共通寝台３がアイソセントリック回転機構を備えたものであれば、アイソセントリック回転機構による作用効果も各装置において放射線治療用複合装置Ａ１と同様に得ることが可能となる。
【００７０】
図８に示す放射線治療用複合装置Ａ８は、放射線治療用複合装置Ａ７において、移動用架台３ｃの移動距離が長くなるように、共通寝台用のレール９、９の長さを延長するか、又は移動用架台３ｃがスライド床としてスライドできる移動距離を長くし、その延長範囲にあわせて放射線照射装置２と横並びとなるように配設されたＸ線シミュレーター８を加えたものであり、この放射線治療用複合装置Ａ８によっても、上記機能に加え、放射線照射を一旦中断し、共通寝台３を図面の上方向に直線移動させれば、上記同様にＸ線シミュレーター８によって、位置の確認を行うことができ、共通寝台３の位置を元に戻すことによって、精度よく位置補正された状態で放射線照射を再開することができる。この時、共通寝台３がアイソセントリック回転機構を備えたものであれば、アイソセントリック回転機構をＸ線シミュレーター８においても利用することが可能であるので、より精度よく位置確認を行うことが可能となる。
【００７１】
図９に示す放射線治療用複合装置Ａ９、図１０に示す放射線治療用複合装置Ａ１０は、それぞれＣＴスキャナー１が放射線治療用複合装置Ａ７、Ａ８と同様に共通寝台３に対して前後方向に移動可能な直線移動機構を備えると共に、ＣＴスキャナー１と放射線照射装置２と必要に応じて使用されるＸ線シミュレーター８とが、共通寝台３が移動可能な曲線の近傍、即ち、共通寝台３がその曲線移動によってこれら各装置の前に移動することによって各装置に使用可能となる所定位置にくるような位置にそれぞれ配設されたものであり、図９に示す放射線治療用複合装置Ａ９は、図８に示した放射線治療用複合装置Ａ８における共通寝台３の直線移動機構を、例えばその機構の直線レール９、９（図８参照）に代えて円弧状の曲線レール９’、９’を利用することによって、放射線治療用複合装置Ａ９の共通寝台３の曲線移動機構とし、円周方向（図中矢印ａ’）に曲線移動可能としたものであり、図１０に示す放射線治療用複合装置Ａ１０は、床の上面とその上面がほぼ同じ高さ（略平面）となるように治療室の床面に取り付けた円形のターンテーブル１０に、アイソセントリック回転機構Ｄと共に共通寝台３を載せた移動用架台３ｃを載置するか、又は例えばターンテーブル１０を上述したアイソセントリック回転機構の説明における床面とし、アイソセントリック回転のためのターンテーブル３ｂを設けてターンテーブル１０に共通寝台３を載せることによって、共通寝台３を円周方向（図中矢印ａ’）に曲線移動可能としたものである。なお、本発明の場合、例えば放射線治療用複合装置Ａ７のように、放射線治療用複合装置Ａ９、Ａ１０においてＸ線シミュレーター８を使用しない構成とすることもできる。
【００７２】
ターンテーブル１０の大きさ（ターンテーブル１０における共通寝台３の位置）、曲線レール９’、９’の長さ、形状は各装置の大きさに合わせ、装置同士が邪魔にならないように配設できる大きさ、形状となるように適宜選定することができる。各装置の配設位置は、特に制限されず、例えば図９に示したように角度約１８０°内の角度（円弧）に入るように各装置が配設されていてもよく、図１０に示したように約１２０°ずつの角度で各装置が円周上に配設されていてもよい。なお、曲線レールによる曲線移動機構の場合、円形レールとしてもよく、また、治療室においては床面にレールのような突出物はできるだけ少なくすることが好ましいことを考慮すれば、放射線治療用複合装置Ａ９において曲線レール９’、９’は、共通寝台３の移動する範囲内に設けられていてもよく、各装置の配列の仕方によって、例えば半円の円弧状のレールとしたり、円を約２／３に切ったような円弧状にレールを敷くこともできる。
【００７３】
これらの放射線治療用複合装置Ａ９、Ａ１０は、放射線治療用複合装置Ａ７、Ａ８と同様に共通寝台を自転による回転をさせることなく所定の位置に移動させることが可能であり、上記共通寝台に載った上記被照射者を位置精度よく、ＣＴスキャナー１、放射線照射装置２、Ｘ線シミュレーター８の所定位置に配置させることができ、更に、共通寝台３がアイソセントリック回転機構Ｄを備えたものであれば、そのアイソセントリック回転機構Ｄを備えたまま移動することによって、放射線照射装置２のみならず、ＣＴスキャナー１、Ｘ線シミュレーター８においてもアイソセントリック回転機構Ｄを利用することが可能となる。また、更に、放射線治療用複合装置Ａ９、Ａ１０は、各装置が共通寝台が移動可能な曲線の近傍に沿って配設されるので、放射線治療用複合装置Ａ７、Ａ８の複合装置に比べて複合装置全体の規模（各装置の配設規模）を小さくすることが可能である。
【００７４】
ここで、前述した従来の回転式寝台の回転運動と本発明の共通寝台の曲線運動とを対比すると、従来の回転式寝台の回転運動は自転であり、本発明の共通寝台の曲線運動はレールやターンテーブルを利用した公転である。例えば放射線治療用複合装置Ａ１０のターンテーブルを小さくしていくと、究極的にはターンテーブルの回転軸と共通寝台３の長さ方向中心が一致し、共通寝台の曲線移動の軌跡と従来の回転式寝台の回転の軌跡とが一見すると同じとなるが、この場合であっても共通寝台は、従来の自転ではなく、あくまでもターンテーブルを利用した公転であるため、回転により座標のずれが生じる可能性を格段に減らすことができる。また、特に共通寝台がアイソセントリック回転機構を備えている場合、共通寝台の曲線運動（公転）によれば、上述したように共通寝台の移動と共にアイセントリック回転機構が移動するので、放射線照射装置のみならず、ＣＴスキャナー、Ｘ線シミュレーターにおいてもアイソセントリック回転機構を利用することが可能となる。
【００７５】
図１１、１２に示す放射線治療用複合装置Ａ１１は、ＣＴスキャナー１と放射線照射装置２とが向かい合った状態で配設されており、図面上ほぼｘ軸方向に沿って直列するように治療室内に設置されている。ＣＴスキャナー１はＣＴ寝台として第一寝台１ａを備え、放射線照射装置２は治療器寝台（治療用寝台）として第二寝台２ａを備えている。そして、更に、二つの寝台１ａ、２ａの上を直線方向（図中矢印ａ’’）に、即ち、図面上ほぼｘ軸方向に沿って滑らかに移動する共通寝台３’が第一寝台１ａと第二寝台２ａとを結びつけている。
【００７６】
ＣＴスキャナー１は、通常使用されている装置を使用することができ、共通寝台３’により第一寝台１ａと第二寝台２ａとが結びつけられる限り、固定式であってもよいが、例えば二本のレール４、４を治療室の床面に設け、このレール４、４上を図示しないコンピューターの制御により直線方向（図中矢印ｂ）、即ち、図面上ｘ軸方向に沿って移動する床面自走式などのように、上述した放射線治療用複合装置Ａ１と同様の直線移動機構を備えた移動式のものを使用すると、より好適である。ＣＴスキャナー１の第一寝台１ａは、ＣＴスキャナー１が移動式であれば、床面に固定されていてもよく、ＣＴスキャナー１が固定式であれば、体軸方向に沿って移動可能なものが好適に使用される。
【００７７】
なお、この複合装置Ａ１１の場合も上述したように、通常のＣＴスキャナーを使用することもできるが、ＣＴスキャナーの検出可能領域であるガントリのトンネル部において被照射者を横方向に位置調整可能となるように、検出可能領域の直径が上記大きさであり、ＣＴスキャナー１のガントリのトンネル部において被照射者を横方向に移動させる位置調整手段を備えたものであると、より精度よく患部（病巣）の位置合わせを行うことができる。ＣＴスキャナー１のガントリのトンネル部において被照射者を横方向に移動させる位置調整手段としては、特に制限されるものではなく、例えば、ＣＴスキャナーの予備スキャンデータに従って、第一寝台（ＣＴ寝台）１ａを寝台上の被照射者の体の左右方向（図１１では図面の上下方向、図中矢印ｆ）に図示しない内部の駆動機構により平行移動（スライド）させるスライド機構（図示せず）を前述した複合装置Ａ１の共通寝台に代えて第一寝台（ＣＴ寝台）１ａにもたせるか、第一寝台（ＣＴ寝台）１ａ上に載置された共通寝台３’を寝台上の被照射者の体の左右方向（図１１では図面の上下方向、図中矢印ｆ）に図示しない内部の駆動機構により平行移動（スライド）させるスライド機構（図示せず）を備える第一寝台１ａをＣＴ寝台として使用することによって、ＣＴスキャナーがトンネル部１ｃにおいて被照射者Ｂの横方向の位置を調整する位置調整手段を備えた構成とすることができる。
【００７８】
放射線照射装置２は、共通寝台３’により第一寝台１ａと第二寝台２ａとが結びつけられ、共通寝台３’がＣＴスキャナー１と放射線照射装置２との間を結びつけられる限り、固定式であっても、例えば上記のような自走式機構、スライド機構などを備えた移動可能なものであってもよいが、ＣＴスキャナー１が直線移動可能なものであれば、放射線照射装置２は、固定式のものでもよい。なお、放射線照射装置２の治療用寝台である第二寝台２ａとしては、上述した放射線治療用複合装置Ａ１などの共通寝台として好適に使用される寝台のように、放射線照射の照射野中心、放射線照射の角度などを変えることができるように、円方向（図中矢印ｃ）に回転可能なアイソセントリック回転機構を備え、更に、放射線照射装置２の前後方向及び高さ方向に位置調整可能な放射線照射装置用の治療用寝台を使用することが望ましい。
【００７９】
共通寝台３’は、第一寝台１ａ、第二寝台２ａの二つの寝台の上を滑らかに直線移動するように構成されている。ここで、移動機構としては、特に制限されるものではなく、公知の直線移動機構を採用することができ、例えば移動部材として、（１）ローラー、（２）車輪、（３）第一寝台の上面と第二寝台の上面に設けた移動用レールと、共通寝台の下面に設けた上記移動用レールに対応する摺動部との組み合わせ、（４）コンベア（ベルトコンベア）などを利用した機構が挙げられる。そして、各移動部材を駆動させる駆動部との組み合わせとしては、例えば、（１）ローラーを回転させる駆動モーター、（２）車輪を回転させる駆動モーター、（３）上記移動用レール上に載せた共通寝台をその摺動部の摺動によって直線移動させる駆動部を共通寝台に連結する、（４）コンベア（ベルトコンベア）に搬送を行わせる駆動モーターなどが挙げられる。
【００８０】
ローラーにより移動させる場合は、例えば第一寝台、第二寝台の上面に適宜間隔で離間させて複数のローラーを取り付け、これらローラーの上に共通寝台を載せて駆動モーターにより駆動させることにより、ローラーが回転してローラー上の共通寝台を移動させることができる。一方、車輪により移動させる場合、第一寝台、第二寝台間の移動が円滑に行われるように、共通寝台に適宜間隔で離間させて複数組みの車輪を取り付け、必要に応じて第一寝台、第二寝台の上面に車輪の軌道となるような溝を設けておき、駆動モーターにより駆動させることによって、共通寝台を滑らかに、且つ軌道を制御して直線移動させることができる。移動用レールにより移動させる場合は、移動用レール上に共通寝台を載せ、例えば駆動モーターと駆動モーターの回転運動を横移動に変換する手段として第一寝台、第二寝台にかかる長さのボールねじなどを利用し、このボールねじのナットを共通寝台に固設しておくことなどによって、共通寝台を直線移動させることができる。また、コンベアによる場合、例えば第一寝台、第二寝台の上面にベルトコンベアを設け、コンベア上に共通寝台を載せ、駆動モーターにより駆動させることによって、共通寝台を搬送することができる。
【００８１】
本発明の移動機構としては、上記駆動部がコンピューターにより制御可能となるように、更に、制御部を備えていると、より好適である。なお、図において移動機構（移動部材）は省略した。また、共通寝台３’は、被照射者が横になった状態で、第一寝台、第二寝台間を移動可能であれば、その大きさ形状が、特に制限されるものではない。また、上述したように、移動機構は、コンピューター制御によるオートマティカルなもののみならず、マニュアル式であっても、メカニカルなものであってもよい。
【００８２】
この複合装置Ａ１１においても、患者は、常に共通寝台３’の上に載置されており、共通寝台３’は、上述したようにその移動機構がコンピューター制御されているものであれば、コンピューターからの指令により、精度よく所定の位置に直線移動させることができ、病巣位置合わせの際は、ＣＴスキャナー１の第一寝台１ａの上に載置され、照射の際には、ＣＴスキャナー１の位置データに従って放射線照射装置２の第二寝台２ａの上に載置されるように直線移動する。これにより、位置合わせから放射線治療までの間に介在した寝台の回転移動が省かれるため、回転運動に付随する誤差が介入する余地が消失する。ここで、更に、ＣＴスキャナー１が上述したように、その検出可能領域において被照射者の患部を横方向に移動可能なものであれば、ＣＴスキャンを行う際には、被照射者を載せた共通寝台３’は、ＣＴスキャナー１の第一寝台１ａの上に載置されており、上記放射線治療用複合装置Ａ１と同様にしてＣＴスキャンを行うことによって、より精度よい位置合わせが可能となり、照射の際には、ＣＴスキャナー１で確認した位置のデータに従って、被照射者を載せた共通寝台３’が放射線照射装置２の第二寝台２ａの上の所定位置に配置される。これにより、上記放射線治療用複合装置Ａ１と同様に病巣の中心を放射線治療室内の三次元空間における本当の原点に一致させることも可能となる。
【００８３】
図１３、１４に示す放射線治療用複合装置Ａ１２は、放射線治療用複合装置Ａ１１に、更に、Ｘ線シミュレーター８、Ｘ線シミュレーター８の寝台として第三寝台８ａを加え、Ｘ線シミュレーター８をＣＴスキャナー１、放射線照射装置２と同軸（ｘ軸）方向に沿わせて直列に配設し、共通寝台３’を第三寝台８ａの上にも直線移動できるように、放射線治療用複合装置Ａ１１と同様に例えば第三寝台８ａの上面にもローラー、レール、ベルトコンベアなどを配設したものである。この放射線治療用複合装置Ａ１２によれば、上記機能に加え、放射線照射を一旦中断し、共通寝台３’を第三寝台８ａの上に載るように直線移動させれば、Ｘ線シミュレーター８によって、例えば患者の呼吸などによって体内で患部が動き、ＣＴスキャナーによる位置合わせにずれが生じていないかなどの確認を行うことができる。その後、再び、共通寝台３’を第二寝台２ａの上に載るように直線移動させれば、精度よく位置補正された状態で放射線照射を再開することができる。また、放射線治療用複合装置Ａ１１と同様にＣＴスキャナーをその検出可能領域において患部を横方向に位置調整可能なものとすれば、より位置精度が向上する。なお、Ｘ線シミュレーター８に使用される第三寝台８ａとしては、第二寝台２ａと同様にアイソセントリック回転機構を備えたものを使用すると、より好適である。
【００８４】
図１５に示す放射線治療用複合装置Ａ１３は、上述した放射線治療用複合装置Ａ１において、ＣＴスキャナー１と放射線照射装置２とが、放射線照射装置２の移動によって図面上ほぼｘ軸方向に沿って並んだ時に放射線治療用複合装置Ａ１１と同様にこれらが向かい合った状態になるように配設され、更に、放射線治療用複合装置Ａ１では全ての装置に共用された共通寝台３に代えて、放射線治療用複合装置Ａ１１で使用した共通寝台３’を使用すると共に、第一寝台１ａ、第二寝台２ａを使用することによって、ＣＴスキャナー１、放射線照射装置２の直線運動に加え、更に共通寝台３’を直線移動可能としたものであり、ＣＴスキャナー１、放射線照射装置２が治療室内に移動方向が互いに直交する形で配設されている。なお、この構成例の場合も、放射線治療用複合装置Ａ１と同様に、本発明においては、ＣＴスキャナー、放射線照射装置は、移動方向が互いに交差する形、例えば斜交する形となるように配設することもできるが、直交又は実質的に直交する形で配設することが望ましい。また、第一寝台１ａ、第二寝台２ａは、図１５に示すように、それぞれＣＴスキャナー１、放射線照射装置２において使用可能となるように、放射線治療用複合装置Ａ１１と同様に、図面上ほぼｘ軸方向に沿うように配設されている。患者を第一寝台１ａ上の共通寝台３’に載せ、ＣＴスキャナー１を図面上ｘ軸のプラス方向（図面上は右方向）に直線移動させ、病巣の位置を正確に把握し、その後、ＣＴスキャナー１を図面上ｘ軸のマイナス方向（図面上は左方向）に直線移動して後退させる。次いで、放射線照射装置２を患者の病巣位置に合わせて図面上ｙ軸のプラス方向（図面上は上方向）に直線移動させ、更に共通寝台３’をｘ軸のプラス方向に直線移動させて第一寝台１ａから第二寝台２ａの上に移動させることによって、病巣の放射線照射を行うことができ、位置合わせから照射までの間の寝台の直線移動を少なくすることができる。また、放射線治療用複合装置Ａ１１と同様にＣＴスキャナーをその検出可能領域において患部を横方向に位置調整可能なものとすれば、より位置精度が向上する。なお、この構成例において、共通寝台３’、第一寝台１ａを使用せず、第二寝台２ａを共通寝台として使用し、ＣＴスキャナー１を第二寝台２ａのところまで移動可能な構成とすれば、図２１に示した放射線治療用複合装置Ａ１’と同様の構成となる。
【００８５】
図１６に示す放射線治療用複合装置Ａ１４は、放射線治療用複合装置Ａ１３に更にＸ線シミュレーター８を加えたものであり、放射線治療用複合装置Ａ１３と同様に、上述した放射線治療用複合装置Ａ２において、ＣＴスキャナー１と放射線照射装置２又はＸ線シミュレーター８とが、放射線照射装置２又はＸ線シミュレーター８の移動によって図面上ほぼｘ軸方向に沿って並んだ時にこれらが向かい合った状態になるように配設され、更に、放射線治療用複合装置Ａ２では全ての装置に共用された共通寝台３に代えて、放射線治療用複合装置Ａ１１で使用した共通寝台３’、第一寝台１ａ、第二寝台２ａを使用することによって、ＣＴスキャナー１、放射線照射装置２、Ｘ線シミュレーター８の直線運動に加え、更に共通寝台３’を直線移動可能としたものであり、上述した放射線治療用複合装置Ａ１３と同様に位置合わせの移動を行うことができると共に、Ｘ線シミュレーター８を、共通寝台３’を載せた第二寝台２ａのところに直線移動させることによって、Ｘ線シミュレーター８による位置確認を行うことができ、更に第二寝台２ａがアイソセントリック回転機構Ｄを備えたものであれば、そのアイソセントリック回転機構をＸ線シミュレーターにおいても利用することが可能となる。なお、この構成例において、共通寝台３’、第一寝台１ａを使用せず、第二寝台２ａを共通寝台として使用し、ＣＴスキャナー１を第二寝台２ａのところまで移動可能な構成とすれば、図２２に示した放射線治療用複合装置Ａ２’と同様の構成となる。
【００８６】
本発明の放射線治療用複合装置は、上記構成に限定されるものではなく、本発明の要旨を逸脱しない範囲で種々変更して差し支えない。
【図面の簡単な説明】
【００８７】
【図１】本発明の放射線治療用複合装置の第一の構成例を説明する放射線治療用複合装置の概略平面図である。
【図２】本発明の放射線治療用複合装置の第二の構成例を説明する放射線治療用複合装置の概略平面図である。
【図３】本発明の放射線治療用複合装置の第三の構成例を説明する放射線治療用複合装置の概略平面図である。
【図４】本発明の放射線治療用複合装置の第四の構成例を説明する放射線治療用複合装置の概略平面図である。
【図５】本発明の放射線治療用複合装置の第五の構成例を説明する放射線治療用複合装置の概略平面図である。
【図６】本発明の放射線治療用複合装置の第六の構成例を説明する放射線治療用複合装置の概略平面図である。
【図７】本発明の放射線治療用複合装置の第七の構成例を説明する放射線治療用複合装置の概略平面図である。
【図８】本発明の放射線治療用複合装置の第八の構成例を説明する放射線治療用複合装置の概略平面図である。
【図９】本発明の放射線治療用複合装置の第九の構成例を説明する放射線治療用複合装置の概略平面図である。
【図１０】本発明の放射線治療用複合装置の第十の構成例を説明する放射線治療用複合装置の概略平面図である。
【図１１】本発明の放射線治療用複合装置の第十一の構成例を説明する放射線治療用複合装置の概略平面図である。
【図１２】上記放射線治療用複合装置の概略側面図である。
【図１３】本発明の放射線治療用複合装置の第十二の構成例を説明する放射線治療用複合装置の概略平面図である。
【図１４】上記放射線治療用複合装置の概略側面図である。
【図１５】本発明の放射線治療用複合装置の第十三の構成例を説明する放射線治療用複合装置の概略平面図である。
【図１６】本発明の放射線治療用複合装置の第十四の構成例を説明する放射線治療用複合装置の概略平面図である。
【図１７】本発明の放射線治療用複合装置においてより好適に使用されるＣＴスキャナーの構成を説明する説明図である。
【図１８】従来の放射線治療用複合装置の構成を説明する放射線治療用複合装置の概略平面図である。
【図１９】放射線照射装置に使用される治療用寝台のアイソセントリック回転機構を説明する概略側面図である。
【図２０】従来のＣＴスキャナーの構成を説明する説明図である。
【図２１】本発明の放射線治療用複合装置の他の構成例を説明する放射線治療用複合装置の概略平面図である。
【図２２】本発明の放射線治療用複合装置の更に他の構成例を説明する放射線治療用複合装置の概略平面図である。
【図２３】本発明の放射線治療用複合装置の更に他の構成例を説明する放射線治療用複合装置の概略平面図である。
【符号の説明】
【００８８】
Ａ１〜Ａ１５、Ａ１’、Ａ２’、Ａ４’  放射線治療用複合装置
Ｂ  患者（被照射者）
Ｄ  アイソセントリック回転機構
１  ＣＴスキャナー
１ａ  第一寝台
１ｂ  ガントリ
１ｃ  検出可能領域（トンネル部）
２  放射線照射装置
２ａ  第二寝台
３、３’  共通寝台
４  レール（ＣＴスキャナー用の移動機構）
６、６’  レール（放射線照射装置用の移動機構）
８  Ｘ線シミュレーター
９、９’  レール（共通寝台用の移動機構）
１０  ターンテーブル（共通寝台用の移動機構）
【図１】
2004255160.tif 000003
【図２】
2004255160.tif 000004
【図３】
2004255160.tif 000005
【図４】
2004255160.tif 000006
【図５】
2004255160.tif 000007
【図６】
2004255160.tif 000008
【図７】
2004255160.tif 000009
【図８】
2004255160.tif 000010
【図９】
2004255160.tif 000011
【図１０】
2004255160.tif 000012
【図１１】
2004255160.tif 000013
【図１２】
2004255160.tif 000014
【図１３】
2004255160.tif 000015
【図１４】
2004255160.tif 000016
【図１５】
2004255160.tif 000017
【図１６】
2004255160.tif 000018
【図１７】
2004255160.tif 000019
【図１８】
2004255160.tif 000020
【図１９】
2004255160.tif 000021
【図２０】
2004255160.tif 000022
【図２１】
2004255160.tif 000023
【図２２】
2004255160.tif 000024
【図２３】
2004255160.tif 000025